(57)【要約】【課題】スクリーン上に画像を投影せずに投影画像に生じる色ムラを補正するための色ムラ補正パラメータを適切に補正できるプロジェクションシステムを提供すること。【解決手段】プロジェクションシステムは、ＰＣと、プロジェクタ３と、ＰＣおよびプロジェクタ３間を情報の送受信可能に接続する情報伝送手段とを備える。プロジェクタ３は、液晶ライトバルブ３１４４の光路後段側に配設され、液晶ライトバルブ３１４４から射出された光学像を受光する受光素子３１３を備える。ＰＣは、液晶ライトバルブ３１４４に所定の光学像を形成させるとともに受光素子３１３に光学像を受光させて色ムラ補正パラメータを補正する補正モードに移行する補正モード移行部と、補正モード時に、情報伝送手段を介して受光素子３１３にて受光された光量に応じた受光情報を取得し、受光情報に基づいて色ムラ補正パラメータを補正するパラメータ補正部とを備える。【選択図】図５
2007166271.tif 000002
【特許請求の範囲】
【請求項１】
画像情報を処理する情報処理装置と、光源装置、前記情報処理装置にて処理された画像
情報に基づいて前記光源装置から射出された光束を変調して光学像を形成する光変調素子
、および、前記光学像を拡大投射して投影画像を形成する投射光学装置を有するプロジェ
クタと、前記情報処理装置および前記プロジェクタ間を情報の送受信可能に接続する情報
伝送手段とを備えたプロジェクションシステムであって、
前記プロジェクタは、
前記光変調素子の光路後段側に配設され、前記光変調素子から射出された光学像の少な
くとも一部を検出して検出情報を出力する光束検出部を備え、
前記情報処理装置は、
前記光変調素子に所定の光学像を形成させるとともに前記光束検出部に前記光学像の少
なくとも一部を検出させて前記投影画像に生じる色ムラを補正するための色ムラ補正パラ
メータを補正する補正モードに移行する補正モード移行部と、
前記補正モード時、前記情報伝送手段を介して前記光束検出部から出力される検出情報
を取得し、前記検出情報に基づいて前記色ムラ補正パラメータを補正するパラメータ補正
部とを備えている
ことを特徴とするプロジェクションシステム。
【請求項２】
請求項１に記載のプロジェクションシステムにおいて、
前記プロジェクタは、
前記色ムラ補正パラメータを記憶する補正パラメータ記憶部と、
前記補正パラメータ記憶部に記憶された前記色ムラ補正パラメータに基づいて前記情報
処理装置にて処理された画像情報に対して前記投影画像に生じる色ムラを補正する色ムラ
補正処理を実施する色ムラ補正処理部とを備え、
前記パラメータ補正部は、前記補正パラメータ記憶部に記憶された前記色ムラ補正パラ
メータを、補正した前記色ムラ補正パラメータに更新させる
ことを特徴とするプロジェクションシステム。
【請求項３】
請求項１または請求項２に記載のプロジェクションシステムにおいて、
前記プロジェクタは、
前記補正モード時に、前記色ムラ補正パラメータを補正するための補正用光束を前記光
変調素子に対して射出する補正用光源装置を備えている
ことを特徴とするプロジェクションシステム。
【請求項４】
請求項１または請求項２に記載のプロジェクションシステムにおいて、
前記プロジェクタは、
前記補正モード時に、前記光源装置を駆動制御し、前記光源装置から射出される光量を
変更して前記光変調素子に対して射出させる光源駆動制御部を備えている
ことを特徴とするプロジェクションシステム。
【請求項５】
請求項１から請求項４のいずれかに記載のプロジェクションシステムにおいて、
前記情報伝送手段は、前記情報処理装置の処理装置電源部からの電力を前記プロジェク
タに供給可能とする電力伝送路を有し、
前記プロジェクタは、
前記電力伝送路を介して供給された電力に基づいて該プロジェクタ内部における前記補
正モード時に動作する構成要素に駆動電圧を供給する電源生成部を備えている
ことを特徴とするプロジェクションシステム。
【請求項６】
請求項１から請求項５のいずれかに記載のプロジェクションシステムにおいて、
前記光束検出部は、前記光変調素子から射出された光学像の少なくとも一部を受光し、
受光した光量に応じた受光信号を出力する受光素子で構成されている
ことを特徴とするプロジェクションシステム。
【請求項７】
光源装置と、画像情報に基づいて前記光源装置から射出された光束を変調して光学像を
形成する光変調素子と、前記光学像を拡大投射して投影画像を形成する投射光学装置とを
備えたプロジェクタであって、
前記光変調素子の光路後段側に配設され、前記光変調素子から射出された光学像の少な
くとも一部を検出して検出情報を出力する光束検出部と、
前記投影画像に生じる色ムラを補正するための色ムラ補正パラメータを記憶する補正パ
ラメータ記憶部と、
前記補正パラメータ記憶部に記憶された前記色ムラ補正パラメータに基づいて前記情報
処理装置にて処理された画像情報に対して前記投影画像に生じる色ムラを補正する色ムラ
補正処理を実施する色ムラ補正処理部とを備え、
前記補正パラメータ記憶部は、前記光変調素子に所定の光学像を形成させるとともに前
記光束検出部に前記光学像の少なくとも一部を検出させて前記色ムラ補正パラメータを補
正する補正モード時において、記憶した前記色ムラ補正パラメータを、前記光束検出部か
ら出力される検出情報に基づいて補正された色ムラ補正パラメータに更新する
ことを特徴とするプロジェクタ。
【請求項８】
請求項７に記載のプロジェクタにおいて、
前記光変調素子に所定の光学像を形成させるとともに前記光束検出部に前記光学像の少
なくとも一部を検出させて前記色ムラ補正パラメータを補正する補正モードに移行する補
正モード移行部と、
前記補正モード時に、前記光束検出部から出力される検出情報に基づいて前記色ムラ補
正パラメータを補正し、前記補正パラメータ記憶部に記憶された前記色ムラ補正パラメー
タを更新させるパラメータ補正部とを備えている
ことを特徴とするプロジェクタ。
【請求項９】
請求項７または請求項８に記載のプロジェクタにおいて、
前記補正モード時に、前記色ムラ補正パラメータを補正するための補正用光束を前記光
変調素子に対して射出する補正用光源装置を備えている
ことを特徴とするプロジェクタ。
【請求項１０】
請求項７または請求項８に記載のプロジェクタにおいて、
前記補正モード時に、前記光源装置を駆動制御し、前記光源装置から射出される光量を
変更して前記光変調素子に対して射出させる光源駆動制御部を備えている
ことを特徴とするプロジェクタ。
【請求項１１】
請求項７から請求項１０のいずれかに記載のプロジェクタにおいて、
前記情報伝送手段は、前記情報処理装置の処理装置電源部からの電力を前記プロジェク
タに供給可能とする電力伝送路を有し、
前記電力伝送路を介して供給された電力に基づいて当該プロジェクタ内部における前記
補正モード時に動作する構成要素に駆動電圧を供給する電源生成部を備えている
ことを特徴とするプロジェクタ。
【請求項１２】
請求項７から請求項１１のいずれかに記載のプロジェクタにおいて、
前記光束検出部は、前記光変調素子から射出された光学像の少なくとも一部を受光し、
受光した光量に応じた受光信号を出力する受光素子で構成されている
ことを特徴とするプロジェクタ。
【請求項１３】
請求項７から請求項１２のいずれかに記載のプロジェクタにおいて、
前記光源装置、前記光変調素子、および前記投射光学装置を内部に収納配置する外装筺
体を備え、
前記外装筺体には、前記投射光学装置から拡大投射される光束を通過可能とする開口部
を有し、
前記開口部には、該開口部を閉塞可能とする蓋部材が着脱自在に設けられ、
前記光束検出部は、前記蓋部材に取り付けられ、前記光変調素子から射出され前記投射
光学装置を介した光学像の少なくとも一部を検出して検出情報を出力する
ことを特徴とするプロジェクタ。
【請求項１４】
請求項７から請求項１２のいずれかに記載のプロジェクタにおいて、
前記光変調素子は、複数で構成され、
前記複数の光変調素子にて形成された各光学像を合成して射出する色合成光学装置と、
前記光源装置、前記複数の光変調素子、前記色合成光学装置、および前記投射光学装置を
内部に収納配置する外装筺体とを備え、
前記色合成光学装置および前記投射光学装置の各部材間には、挿抜自在とする挿抜部材
が設けられ、
前記光束検出部は、前記挿抜部材に取り付けられ、前記光変調素子から射出され前記色
合成光学装置を介した光学像の少なくとも一部を検出して検出情報を出力する
ことを特徴とするプロジェクタ。
【請求項１５】
請求項７から請求項１２のいずれかに記載のプロジェクタにおいて、
前記光変調素子は、複数で構成され、
前記複数の光変調素子にて形成された各光学像を合成して射出する色合成光学装置と、
前記光源装置、前記複数の光変調素子、前記色合成光学装置、および前記投射光学装置を
内部に収納配置する外装筺体とを備え、
前記複数の光変調素子および前記色合成光学装置の各部材間には、挿抜自在とする複数
の挿抜部材がそれぞれ設けられ、
前記光束検出部は、前記複数の挿抜部材にそれぞれ取り付けられ、前記光変調素子から
射出された光学像の少なくとも一部を検出して検出情報を出力する
ことを特徴とするプロジェクタ。
【発明の詳細な説明】
【技術分野】
【０００１】
本発明は、プロジェクションシステムおよびプロジェクタに関する。
【背景技術】
【０００２】
従来、光源装置と、光源装置から射出された光束を画像情報に応じて変調して光学像を
形成する光変調装置と、光学像を拡大投射する投射光学装置とを備えたプロジェクタが知
られている。
このようなプロジェクタでは、長期間使用することで、光源装置からの光束の照射によ
り、光変調素子等の内部の光学要素に劣化が生じ、投射光学装置にて拡大投射された投影
画像に色ムラが発生するという問題がある。
そこで、経時変化により投影画像に生じる色ムラを防止する方法として、以下の技術が
提案されている（例えば、特許文献１、特許文献２参照）。
【０００３】
特許文献１に記載の技術では、液晶パネルの経時変化に応じて生じる色ムラを補正する
ため、予め、経時変化に対応してそれぞれ異なるデータ値を有する色ムラ補正データ（色
ムラ補正パラメータ）を記憶させておく。そして、液晶パネルの使用時間に応じて、経時
変化に応じた色ムラ補正データを読み出し、この色ムラ補正データを利用して液晶パネル
の駆動波形のレベルを補正する。
また、特許文献２に記載の技術では、キャリブレーション画像をスクリーン上に拡大投
射し、スクリーン上のキャリブレーション画像を撮像部により撮像する。撮像部により撮
像された画像に基づいて、投影画像に生じる色ムラを補正するための補正量を算出する。
そして、入出力特性データ（色ムラ補正パラメータ）を補正量に基づいて補正し、補正し
た入出力特性データに基づいて、画像の色ムラを補正する。
【０００４】
【特許文献１】特開２００５−２４８５５号公報
【特許文献２】特開２００４−２２８９４８号公報
【発明の開示】
【発明が解決しようとする課題】
【０００５】
しかしながら、特許文献１に記載の技術では、プロジェクタの固体毎に経時変化により
発生する色ムラの出方が異なるため、その色ムラを予測することは困難である。このため
、予め、経時変化に対応してそれぞれ異なるデータ値を有する色ムラ補正データを利用し
て色ムラ補正を実施しても、色ムラ補正を適切に実施できない、という問題がある。
また、特許文献２に記載の技術では、色ムラを補正するための補正量を算出する際に、
スクリーン上に投影画像を形成する必要があり、すなわち、利用者にスクリーンやプロジ
ェクタを設置させる必要がある。このため、利便性の向上が図れない。また、この方法で
は、投射環境にも大きく依存するため、補正量を適切に算出するには、暗室等の環境も必
要となる。
【０００６】
本発明の目的は、スクリーン上に画像を投影せずに投影画像に生じる色ムラを補正する
ための色ムラ補正パラメータを適切に補正できるプロジェクションシステムおよびプロジ
ェクタを提供することにある。
【課題を解決するための手段】
【０００７】
本発明のプロジェクションシステムは、画像情報を処理する情報処理装置と、光源装置
、前記情報処理装置にて処理された画像情報に基づいて前記光源装置から射出された光束
を変調して光学像を形成する光変調素子、および、前記光学像を拡大投射して投影画像を
形成する投射光学装置を有するプロジェクタと、前記情報処理装置および前記プロジェク
タ間を情報の送受信可能に接続する情報伝送手段とを備えたプロジェクションシステムで
あって、前記プロジェクタは、前記光変調素子の光路後段側に配設され、前記光変調素子
から射出された光学像の少なくとも一部を検出して検出情報を出力する光束検出部を備え
、前記情報処理装置は、前記光変調素子に所定の光学像を形成させるとともに前記光束検
出部に前記光学像の少なくとも一部を検出させて前記投影画像に生じる色ムラを補正する
ための色ムラ補正パラメータを補正する補正モードに移行する補正モード移行部と、前記
補正モード時、前記情報伝送手段を介して前記光束検出部から出力される検出情報を取得
し、前記検出情報に基づいて前記色ムラ補正パラメータを補正するパラメータ補正部とを
備えていることを特徴とする。
【０００８】
ここで、色ムラとは、色光毎の各光学像を合成する際に前記各光学像の明るさの割合が
設計上の割合と異なることにより生じる所謂色ムラの他、光学像の所定の画素の明るさが
設計上の明るさと異なることにより生じる所謂輝度ムラも含む意味である。
また、パラメータ補正部としては、新たな色ムラ補正パラメータを生成する構成として
もよいし、現状の色ムラ補正パラメータを補正するための補正情報を生成する構成として
もよい。
さらに、光束検出部としては、例えば、ＣＣＤ(Charge Coupled Device)およびＭＯＳ(
Metal Oxide Semiconductor)センサ等の撮像素子や、フォトダイオード等の受光素子を採
用できる。また、光束検出部としては、光変調素子の光路後段側に配設され光変調素子か
ら射出された光学像の少なくとも一部を検出可能であれば、いずれの位置に配設してもよ
い。さらに、光束検出部としては、プロジェクタに内蔵する構成の他、プロジェクタに着
脱自在に構成し、例えば、補正モード時においてプロジェクタに設置する構成としてもよ
い。
また、色ムラ補正パラメータに基づいて画像情報に対して色ムラ補正処理を実施する色
ムラ補正処理部は、プロジェクタおよび情報処理装置のいずれに設けても構わない。
【０００９】
本発明では、情報処理装置の補正モード移行部は、例えば、利用者による操作部の操作
により、色ムラ補正パラメータを補正する補正モードに移行する旨のモード移行情報を入
力し、スクリーン上に投影画像を投影する通常の投射モードから補正モードに移行する。
そして、補正モードに移行した後、プロジェクタの光束検出部は、光変調素子にて形成さ
れ射出される所定の光学像の少なくとも一部を検出する。また、情報処理装置のパラメー
タ補正部は、光束検出部から出力される検出情報を取得し、検出情報に基づいて色ムラ補
正パラメータを補正する。このことにより、プロジェクタに光束検出部が設けられている
ので、光変調素子から射出された光学像をスクリーン上に投影することなく、直接、光束
検出部にて検出できる。このため、補正モード時において、利用者にスクリーンやプロジ
ェクタを設置させる必要がなく、利便性の向上が図れる。また、上述したように色ムラ補
正パラメータを補正することで、プロジェクタが設置された環境に依存せずに色むら補正
パラメータを適切に補正できる。
したがって、スクリーン上に画像を投影せずに投影画像に生じる色ムラを補正するため
の色ムラ補正パラメータを適切に補正でき、該色ムラ補正パラメータを用いて経時変化に
より投影画像に生じる色ムラを良好に補正することが可能となる。
【００１０】
本発明のプロジェクションシステムでは、前記プロジェクタは、前記色ムラ補正パラメ
ータを記憶する補正パラメータ記憶部と、前記補正パラメータ記憶部に記憶された前記色
ムラ補正パラメータに基づいて前記情報処理装置にて処理された画像情報に対して前記投
影画像に生じる色ムラを補正する色ムラ補正処理を実施する色ムラ補正処理部とを備え、
前記パラメータ補正部は、前記補正パラメータ記憶部に記憶された前記色ムラ補正パラメ
ータを、補正した前記色ムラ補正パラメータに更新させることが好ましい。
ここで、パラメータ補正部が新たな色ムラ補正パラメータを生成する構成とした場合に
は、パラメータ補正部は、補正パラメータ記憶部に記憶された色ムラ補正パラメータを、
生成した新たな色ムラ補正パラメータに更新させるものとする。また、パラメータ補正部
が色ムラ補正パラメータを補正するための補正情報を生成する構成とした場合には、パラ
メータ補正部は、生成した補正情報に基づいて、補正パラメータ記憶部に記憶された色ム
ラ補正パラメータを更新させるものとする。
ところで、画像情報に対する色ムラ補正処理は、種々の補正処理（例えば、解像度変換
処理、輪郭強調処理、白黒伸長処理、色変換処理、γ補正処理、ＶＴ−γ補正処理、ゴー
スト補正処理、クロストーク補正処理、色ムラ補正処理等）のうち、最後に実施すること
がもっとも効率的である。
本発明によれば、プロジェクタは、補正パラメータ記憶部および色ムラ補正処理部を備
え、色ムラ補正処理をプロジェクタ側にて実施する。このことにより、例えば、情報処理
装置側にて色ムラ補正処理を実施する構成と比較して、プロジェクタ側にて最後に色ムラ
補正処理を実施することが可能となり、画像補正処理を最も迅速に実施することができる
。
【００１１】
本発明のプロジェクションシステムでは、前記プロジェクタは、前記補正モード時に、
前記色ムラ補正パラメータを補正するための補正用光束を前記光変調素子に対して射出す
る補正用光源装置を備えていることが好ましい。
ここで、補正用光源装置としては、プロジェクタに内蔵する構成の他、プロジェクタに
着脱自在に構成し、例えば、補正モード時においてプロジェクタに設置する構成としても
よい。
本発明によれば、プロジェクタは、光源装置とは別に、補正モード時において補正用光
束を光変調素子に対して射出する補正用光源装置を備えているので、補正モード時におい
て光束検出部の検出感度に応じた光量の光束を射出する光源を用いることができ、情報処
理装置により光束検出部から出力された検出情報に基づいて色ムラ補正パラメータを適切
に補正できる。また、補正用光源装置として、低照度・低消費電力のＬＥＤ(Light Emitt
ing Diode)等の固体発光素子で構成すれば、補正モード時における低消費電力化が図れる
。
【００１２】
本発明のプロジェクションシステムでは、前記プロジェクタは、前記補正モード時に、
前記光源装置を駆動制御し、前記光源装置から射出される光量を変更して前記光変調素子
に対して射出させる光源駆動制御部を備えていることが好ましい。
本発明によれば、プロジェクタは、光源駆動制御部を備えているので、補正モード時に
おいて光源装置から射出される光量を低減させて前記光変調素子に対して射出させること
ができる。このため、補正モード時において光束検出部の検出感度に応じた光量の光束を
光源装置から射出させることができ、情報処理装置により光束検出部から出力された検出
情報に基づいて色ムラ補正パラメータを適切に補正できる。また、補正モード時における
低消費電力化が図れる。さらに、別途、補正用光源装置を設ける必要がなく、プロジェク
タの低コスト化が可能となる。
【００１３】
本発明のプロジェクションシステムでは、前記情報伝送手段は、前記情報処理装置の処
理装置電源部からの電力を前記プロジェクタに供給可能とする電力伝送路を有し、前記プ
ロジェクタは、前記電力伝送路を介して供給された電力に基づいて該プロジェクタ内部に
おける前記補正モード時に動作する構成要素に駆動電圧を供給する電源生成部を備えてい
ることが好ましい。
本発明では、プロジェクタにおける電源生成部は、情報伝送手段を介した情報処理装置
からの電力に基づいてプロジェクタ内部における補正モード時に動作する構成要素（例え
ば、光束検出部等）に駆動電圧を供給する。このことにより、補正モード時において、プ
ロジェクタは、情報伝送手段を介した情報処理装置からの電力に基づいて駆動することと
なり、プロジェクタを例えばＡＣケーブル等により外部電源と接続する必要がない。この
ため、プロジェクタおよび情報処理装置間を情報伝送手段にて接続するだけで、補正モー
ド時における色ムラ補正パラメータの補正を実施でき、利便性の向上がさらに図れる。
【００１４】
本発明のプロジェクションシステムでは、前記光束検出部は、前記光変調素子から射出
された光学像の少なくとも一部を受光し、受光した光量に応じた受光信号を出力する受光
素子で構成されていることが好ましい。
本発明によれば、光束検出部が受光素子で構成されているので、例えば、光束検出部を
撮像素子で構成する場合と比較して、プロジェクタの低コスト化が図れる。
【００１５】
本発明のプロジェクタは、光源装置と、画像情報に基づいて前記光源装置から射出され
た光束を変調して光学像を形成する光変調素子と、前記光学像を拡大投射して投影画像を
形成する投射光学装置とを備えたプロジェクタであって、前記光変調素子の光路後段側に
配設され、前記光変調素子から射出された光学像の少なくとも一部を検出して検出情報を
出力する光束検出部と、前記投影画像に生じる色ムラを補正するための色ムラ補正パラメ
ータを記憶する補正パラメータ記憶部と、前記補正パラメータ記憶部に記憶された前記色
ムラ補正パラメータに基づいて前記情報処理装置にて処理された画像情報に対して前記投
影画像に生じる色ムラを補正する色ムラ補正処理を実施する色ムラ補正処理部とを備え、
前記補正パラメータ記憶部は、前記光変調素子に所定の光学像を形成させるとともに前記
光束検出部に前記光学像の少なくとも一部を検出させて前記色ムラ補正パラメータを補正
する補正モード時において、記憶した前記色ムラ補正パラメータを、前記光束検出部から
出力される検出情報に基づいて補正された色ムラ補正パラメータに更新することを特徴と
する。
本発明によれば、プロジェクタは、光束検出部、補正パラメータ記憶部、および色ムラ
補正処理部を備えているので、上述したプロジェクションシステムと同様の作用・効果を
享受できる。
【００１６】
本発明のプロジェクタでは、前記光変調素子に所定の光学像を形成させるとともに前記
光束検出部に前記光学像の少なくとも一部を検出させて前記色ムラ補正パラメータを補正
する補正モードに移行する補正モード移行部と、前記補正モード時に、前記光束検出部か
ら出力される検出情報に基づいて前記色ムラ補正パラメータを補正し、前記補正パラメー
タ記憶部に記憶された前記色ムラ補正パラメータを更新させるパラメータ補正部とを備え
ていることを特徴とする。
本発明によれば、プロジェクタは、受光部、補正パラメータ記憶部、色ムラ補正処理部
、補正モード移行部、およびパラメータ補正部を備えているので、上述したプロジェクシ
ョンシステムと同様の作用・効果を享受できる。
また、プロジェクタ側にて色ムラ補正パラメータを補正できるので、補正モード時にお
いて、プロジェクタおよび情報処理装置間を情報伝送手段にて接続しなくても、色ムラ補
正パラメータを補正でき、利便性の向上が図れる。
【００１７】
本発明のプロジェクタでは、前記補正モード時に、前記色ムラ補正パラメータを補正す
るための補正用光束を前記光変調素子に対して射出する補正用光源装置を備えていること
が好ましい。
本発明によれば、プロジェクタは、補正用光源装置を備えているので、上述したプロジ
ェクションシステムと同様の作用・効果を享受できる。
【００１８】
本発明のプロジェクタでは、前記補正モード時に、前記光源装置を駆動制御し、前記光
源装置から射出される光量を変更して前記光変調素子に対して射出させる光源駆動制御部
を備えていることが好ましい。
本発明によれば、プロジェクタは、光源駆動制御部を備えているので、上述したプロジ
ェクションシステムと同様の作用・効果を享受できる。
【００１９】
本発明のプロジェクタでは、前記情報伝送手段は、前記情報処理装置の処理装置電源部
からの電力を前記プロジェクタに供給可能とする電力伝送路を有し、前記電力伝送路を介
して供給された電力に基づいて当該プロジェクタ内部における前記補正モード時に動作す
る構成要素に駆動電圧を供給する電源生成部を備えていることが好ましい。
本発明によれば、プロジェクタは、電源生成部を備えているので、上述したプロジェク
ションシステムと同様の作用・効果を享受できる。
【００２０】
本発明のプロジェクタでは、前記光束検出部は、前記光変調素子から射出された光学像
の少なくとも一部を受光し、受光した光量に応じた受光信号を出力する受光素子で構成さ
れていることが好ましい。
本発明によれば、光束検出部が受光素子で構成されているので、上述したプロジェクシ
ョンシステムと同様の作用・効果を享受できる。
【００２１】
本発明のプロジェクタでは、前記光源装置、前記光変調素子、および前記投射光学装置
を内部に収納配置する外装筺体を備え、前記外装筺体には、前記投射光学装置から拡大投
射される光束を通過可能とする開口部を有し、前記開口部には、該開口部を閉塞可能とす
る蓋部材が着脱自在に設けられ、前記光束検出部は、前記蓋部材に取り付けられ、前記光
変調素子から射出され前記投射光学装置を介した光学像の少なくとも一部を検出して検出
情報を出力することが好ましい。
本発明によれば、光束検出部が蓋部材に取り付けられているので、光源装置、光変調素
子、および投射光学装置に至る光束の光路中に光束検出部を配設する構造を設ける必要が
なく、プロジェクタの構造の簡素化が図れる。また、蓋部材が開口に対して着脱自在に構
成されているので、通常の投射モード時においては蓋部材を開口部から取り外し、補正モ
ード時においては蓋部材を開口部に取り付けておけば光変調素子から射出され投射光学装
置を介した光学像の少なくとも一部を光束検出部にて検出できる。このため、プロジェク
タの使用モードに応じて光束検出部を配設でき、利便性の向上が図れる。
【００２２】
本発明のプロジェクタでは、前記光変調素子は、複数で構成され、前記複数の光変調素
子にて形成された各光学像を合成して射出する色合成光学装置と、前記光源装置、前記複
数の光変調素子、前記色合成光学装置、および前記投射光学装置を内部に収納配置する外
装筺体とを備え、前記色合成光学装置および前記投射光学装置の各部材間には、挿抜自在
とする挿抜部材が設けられ、前記光束検出部は、前記挿抜部材に取り付けられ、前記光変
調素子から射出され前記色合成光学装置を介した光学像の少なくとも一部を検出して検出
情報を出力することが好ましい。
本発明によれば、光束検出部が挿抜部材に取り付けられているので、通常の投射モード
時においては挿抜部材を色合成光学装置および投射光学装置の各部材間から取り外し、補
正モード時においては挿抜部材を色合成光学装置および投射光学装置の各部材間に配設し
ておけば光変調素子から射出され色合成光学装置を介した光学像の少なくとも一部を光束
検出部にて検出できる。このため、プロジェクタの使用モードに応じて光束検出部を配設
でき、利便性の向上が図れる。
【００２３】
本発明のプロジェクタでは、前記光変調素子は、複数で構成され、前記複数の光変調素
子にて形成された各光学像を合成して射出する色合成光学装置と、前記光源装置、前記複
数の光変調素子、前記色合成光学装置、および前記投射光学装置を内部に収納配置する外
装筺体とを備え、前記複数の光変調素子および前記色合成光学装置の各部材間には、挿抜
自在とする複数の挿抜部材がそれぞれ設けられ、前記光束検出部は、前記複数の挿抜部材
にそれぞれ取り付けられ、前記光変調素子から射出された光学像の少なくとも一部を検出
して検出情報を出力することが好ましい。
本発明によれば、光束検出部が複数の挿抜部材にそれぞれ取り付けられているので、通
常の投射モード時においては各挿抜部材を各光変調素子および色合成光学装置の各部材間
からそれぞれ取り外し、補正モード時においては各挿抜部材を各光変調素子および色合成
光学装置の各部材間にそれぞれ配設しておけば光変調素子から射出された光学像の少なく
とも一部を光束検出部にて検出できる。このため、プロジェクタの使用モードに応じて光
束検出部を配設でき、利便性の向上が図れる。
また、各光変調素子から射出される各光学像を異なる光束検出部にて検出することとな
るので、例えば、各光変調素子から射出される各光学像を同一の光束検出部にて検出する
構成と比較して、各光変調素子を順に駆動する必要がなく、各光変調素子から射出される
各光学像を各光束検出部にて一括して検出し各検出情報を出力できる。このため、補正モ
ード時における色ムラ補正パラメータの生成および更新を迅速に実施できる。
【発明を実施するための最良の形態】
【００２４】
[第１実施形態]
以下、本発明の第１実施形態を図面に基づいて説明する。
〔プロジェクションシステムの構成〕
図１は、プロジェクションシステム１の外観図である。
プロジェクションシステム１は、図１に示すように、映像ソースの画像に所定の画像処
理を行ったうえで画像データ信号を出力する情報処理装置としてのパーソナルコンピュー
タ２（以下、ＰＣ２と記載する）と、ＰＣ２からの画像データ信号に基づいて現画像フレ
ームを生成してスクリーンＳｃに向けて投射するプロジェクタ３と、ＰＣ２およびプロジ
ェクタ３間をデータの送受信可能に接続する情報伝送手段としてのＵＳＢ(Universal Ser
ial Bus)ケーブル４とを備える。
【００２５】
〔ＰＣの構成〕
図２は、ＰＣ２の概略構成を示すブロック図である。
ＰＣ２は、図２に示すように、操作部２１と、表示部２２と、制御装置２３とで大略構
成されている。
操作部２１は、例えば、キーボードおよびマウス等で入力操作される各種操作ボタンを
有している。この操作ボタンの入力操作を実施することにより、制御装置２３を適宜動作
させるとともに、例えば、表示部２２に表示される情報に対して、制御装置２３の動作内
容の設定等が実施される。そして、利用者による操作部２１の入力操作により、操作部２
１から適宜所定の操作信号を制御装置２３に出力する。
なお、この操作部２１としては、操作ボタンの入力操作に限らず、例えば、タッチパネ
ルによる入力操作や、音声による入力操作等により、各種条件を設定入力する構成として
もできる。
【００２６】
表示部２２は、制御装置２３に制御され、所定の情報を表示する。例えば、制御装置２
３にて処理された情報の表示、または、操作部２１の入力操作により、制御装置２３の後
述するメモリに格納する情報を設定入力または更新する際、制御装置２３から出力される
メモリ内のデータを適宜表示させる。この表示部２２は、例えば、液晶や有機ＥＬ(Elect
roluminescence)、ＰＤＰ(Plasma Display Panel)、ＣＲＴ(Cathode-Ray Tube)等が用い
られる。
【００２７】
制御装置２３は、操作部２１からの操作信号の入力に応じて、所定のプログラムを実行
し、ＰＣ２全体を制御する。この制御装置２３は、図２に示すように、ＵＳＢコントロー
ラ２３１と、メインメモリ２３２と、補助メモリ２３３と、画像補正パラメータ記憶部２
３４と、画像処理部２３５と、制御部本体２３６と、キャリブレーション画像記憶部２３
７等を備える。これら各構成要素２３１〜２３７は、図示しないバスにより接続され、必
要な情報が伝送可能に構成されている。
ＵＳＢコントローラ２３１は、ＵＳＢケーブル４を介してプロジェクタ３と電気的に接
続し、プロジェクタ３とＵＳＢ規格でデータの入出力を実施する部分である。
ここで、ＵＳＢ（ＵＳＢケーブル４）は、具体的な図示は省略するが、Ｄ＋／Ｄ−の信
号ラインと、電力伝送路としての電源ラインのＶＣＣ（＋５Ｖ）およびＧＮＤの４線で構
成される。そして、ＵＳＢ（ＵＳＢケーブル４）により、プロジェクタ３との間でデータ
の入出力を可能とするとともに、ＰＣ２内部の図示しない電源部（処理装置電源部）から
電源ラインを介してプロジェクタ３に電力を供給可能としている。
【００２８】
メインメモリ２３２は、各種データを記憶する。各種データとしては、例えば、操作部
２１から出力された操作信号、ＵＳＢコントローラ２３１を介して入力したデータ、画像
処理部２３５および制御部本体２３６等で処理するためのデータ等がある。
補助メモリ２３３としては映像ソースのメディアが利用され、例えば、デジタルデータ
として映像と音声とを記録したＤＶＤ(Digital Versatile Disc)等が例示できる。
画像補正パラメータ記憶部２３４は、プロジェクタ３の特性に応じた画像補正のための
補正パラメータを記憶している。
【００２９】
ここで、画像補正処理としては、各画素の色、輝度、解像度をプロジェクタ３の表示特
性に合わせて変換処理などのように画素単位で完結する補正処理と、他の画素の影響を受
けて生じる色ムラを補正するゴースト補正やクロストーク補正のように近隣の複数画素に
またがって行われる補正処理とがある。
ＰＣ２で行う画像処理は、主として画像中の画素単位で完結する処理であり、主として
画素の色、輝度、解像度を変換する補正処理である。
すなわち、画像補正パラメータ記憶部２３４に記憶される補正パラメータとしては、例
えば、解像度変換、輪郭強調、白黒伸長、色変換、γ補正、ＶＴ−γ補正等のための各種
補正パラメータが例示できる。
これらの補正処理では、各画素のデータが所定の変換を受けるだけであり、補正処理前
の元画像の段階で画像フレーム間の差分データをとる場合と、補正処理後の画像フレーム
間で差分データをとる場合と、を比較しても差分データの大きさがそれほど変化しない。
なお、本実施形態では、差分データをそれほど大きくしないことから、形状補正もＰＣ
２で行う補正処理とし、形状補正の補正パラメータも画像補正パラメータ記憶部２３４に
記憶する。
【００３０】
なお、これら補正パラメータを記録したメモリカードやＣＤ−ＲＯＭをＰＣ２に挿入し
て、画像補正パラメータ記憶部２３４に補正パラメータをインストールしてもよい。
または、ＰＣ２とプロジェクタ３とをＵＳＢケーブル４で接続した際にＰＣ２が所定の
補正パラメータをプロジェクタ３から読み取って画像補正パラメータ記憶部２３４に記憶
してもよい。
【００３１】
キャリブレーション画像記憶部２３７は、後述する補正モード時において、プロジェク
タ３側にて表示させるキャリブレーション画像に関するキャリブレーション画像情報（キ
ャリブレーション画像データ）を複数記憶する。
キャリブレーション画像データとしては、所定の画素または複数の画素で構成される所
定の画素領域が所定の階調（０階調を除く階調）となり、その他の画素またはその他の画
素領域が０階調（黒）となっている画像に関する画像情報である。そして、キャリブレー
ション画像記憶部２３７は、画素毎または画素領域毎に全ての画素領域に亘りかつ、前記
所定の画素または前記所定の画素領域が複数段階の階調となる複数のキャリブレーション
画像データを記憶している。
【００３２】
画像処理部２３５は、例えば、ＧＰＵ(Graphics Processor Unit)等を含んで構成され
、上述した補正処理を実施するとともに、プロジェクタ３側にて実施する色ムラ補正処理
用の色ムラ補正パラメータを補正する。この画像処理部２３５は、図２に示すように、画
像生成部２３５１と、画像補正演算処理部２３５２と、差分データ生成部２３５３と、エ
ンコーダ２３５４と、パラメータ補正部としての色ムラ補正パラメータ生成部２３５５と
、色ムラ値算出部２３５６とを備える。
【００３３】
画像生成部２３５１は、図２に示すように、デコーダ２３５１ＡおよびＩＰ変換部２３
５１Ｂを備え、補助メモリ２３３からの映像ソースに対して記録方式に応じた解凍を行っ
てフレーム毎に画像データ（画像情報）を復号する。そして、画像生成部２３５１は、復
号した画像データを画像補正演算処理部２３５２に出力する。
画像補正演算処理部２３５２は、画像生成部２３５１により復号された画像データをプ
ロジェクタ３の特性に応じて補正する。そして、画像補正演算処理部２３５２は、補正処
理した画像データを差分データ生成部２３５３に出力する。補正処理としては、解像度変
換処理、輪郭強調処理、白黒伸長処理、色変換処理、γ補正処理、ＶＴ−γ補正処理、形
状補正処理が例示できる。
【００３４】
差分データ生成部２３５３は、画像補正演算処理部２３５２にて補正された画像データ
に対し、最新の画像データと一つ前の画像データとを対比して、一つ前の画像データから
最新の画像データを見て変化した分を差分データとして検出する。つまり、差分データは
、一つ前の画像データに対して最新の画像データが有する空間的変化量と色調的変化量と
を含む。そして、差分データ生成部２３５３は、差分データをエンコーダ２３５４に出力
する。
エンコーダ２３５４は、差分データ生成部２３５３にて生成された差分データを符号化
する。そして、エンコーダ２３５４にて符号化された差分データは、ＵＳＢコントローラ
２３１およびＵＳＢケーブル４を介してプロジェクタ３に伝送される。
【００３５】
色ムラ補正パラメータ生成部２３５５は、後述する補正モード時において、ＵＳＢケー
ブル４を介してプロジェクタ３側から伝送される受光情報に基づいて、プロジェクタ３側
で色ムラ補正処理を実施する際に用いる色ムラ補正パラメータを生成する。そして、色ム
ラ補正パラメータ生成部２３５５は、生成した色ムラ補正パラメータをＵＳＢコントロー
ラ２３１およびＵＳＢケーブル４を介してプロジェクタ３側に伝送し、色ムラ補正パラメ
ータを更新させる。
ここで、色ムラ補正パラメータとは、例えば、入力信号の明るさに関する明るさ情報（
例えば、階調値等）と、出力信号の明るさに関する明るさ情報との関係を示すデータであ
る。
【００３６】
具体的に、図３は、色ムラ補正パラメータ生成部２３５５による色ムラ補正パラメータ
の生成方法の一例を示す図である。具体的に、図３（Ａ）は、全ての画素領域（一画面）
を示す図である。図３（Ｂ）は、図３（Ａ）における所定の一水平ラインＬ上での後述す
るＧ色光用の液晶ライトバルブを介した光束（Ｇ色光）の受光情報に基づく明るさ（例え
ば、輝度値等）の分布を示す図である。図３（Ｃ）は、図３（Ａ）における所定の一水平
ラインＬ上での後述するＧ色光用の液晶ライトバルブを介した光束（Ｇ色光）およびその
他の液晶ライトバルブを介した光束（Ｒ色光やＢ色光）の受光情報に基づく明るさの分布
を示す図である。
例えば、色ムラ補正パラメータ生成部２３５５は、図３（Ｂ）に示すように、プロジェ
クタ３側から伝送される受光情報に基づく一水平ラインＬ上でのＧ色光の明るさの分布Ｄ
１を認識し、画素毎または画素領域毎に、明るさの分布Ｄ１を、例えばメインメモリ２３
２等に記憶された一水平ラインＬ上での設計上のＧ色光の明るさの分布Ｄ０に対して、認
識したＧ色光の明るさと設計上のＧ色光の明るさとが所定の割合となる明るさの分布Ｄ１
´になるように補正するための色ムラ補正パラメータを生成する。そして、色ムラ補正パ
ラメータ生成部２３５５は、別の水平ラインＬについて上記同様に色ムラ補正パラメータ
を順次生成し、全画素領域に亘って画素毎または画素領域毎に、後述するＧ色光用の液晶
ライトバルブに用いる色ムラ補正パラメータを生成する。
なお、階調値が最高値である上述したキャリブレーション画像に基づく受光情報である
場合には、階調値をこれ以上、高階調側に補正できないため、色ムラ補正パラメータ生成
部２３５５は、明るさの分布Ｄ１における明るい部分に相当する階調値を低階調側に補正
することで明るさの分布Ｄ０に対して分布形状が類似した明るさの分布Ｄ１´になるよう
に補正するための色ムラ補正パラメータを生成する。
一方、階調値が最高値でない上述したキャリブレーション画像に基づく受光情報である
場合には、階調値を高階調側に補正することが可能であるため、色ムラ補正パラメータ生
成部２３５５は、階調値を高階調側に補正することで明るさの分布Ｄ０に対して合致、あ
るいは分布形状が類似した明るさの分布Ｄ１´になるように補正するための色ムラ補正パ
ラメータを生成する。
【００３７】
また、例えば、色ムラ補正パラメータ生成部２３５５は、図３（Ｃ）に示すように、プ
ロジェクタ３側から伝送される受光情報に基づく一水平ラインＬ上でのＲ色光やＢ色光の
明るさの分布Ｄ２を認識し、該明るさの分布Ｄ２を、設計上のＧ色光の明るさの分布Ｄ０
に対して、Ｒ色光やＢ色光の明るさとＧ色光の明るさとが所定の割合となる明るさの分布
Ｄ２´になるように補正するための色ムラ補正パラメータを生成する。そして、色ムラ補
正パラメータ生成部２３５５は、別の水平ラインＬについて上記同様に色ムラ補正パラメ
ータを順次生成し、全画素領域に亘って画素毎または画素領域毎に、後述するＲ色光用や
Ｂ色光用の各液晶ライトバルブに用いる色ムラ補正パラメータを生成する。
なお、階調値が最高値である上述したキャリブレーション画像に基づく受光情報である
場合には、階調値をこれ以上、高階調側に補正できないため、色ムラ補正パラメータ生成
部２３５５は、明るさの分布Ｄ２における明るい部分に相当する階調値を低階調側に補正
することで明るさの分布Ｄ０に対して分布形状が類似した明るさの分布Ｄ２´になるよう
に補正するための色ムラ補正パラメータを生成する。
一方、階調値が最高値でない上述したキャリブレーション画像に基づく受光情報である
場合には、階調値を高階調側に補正することが可能であるため、色ムラ補正パラメータ生
成部２３５５は、階調値を高階調側に補正することで明るさの分布Ｄ０に対して合致、あ
るいは分布形状が類似した明るさの分布Ｄ２´になるように補正するための色ムラ補正パ
ラメータを生成する。
【００３８】
色ムラ値算出部２３５６は、後述する補正モード時において、ＵＳＢケーブル４を介し
てプロジェクタ３側から伝送される受光情報に基づいて、例えば、図３（Ｂ）に示すよう
に、画素毎または画素領域毎に、設計上のＧ色光の明るさの分布Ｄ０に対するＧ色光の明
るさの分布Ｄ１の差分をとり、該差分を輝度ムラ値Ｐとして算出するとともに、例えば、
図３（Ｃ）に示すように、画素毎または画素領域毎に、Ｇ色光の明るさの分布Ｄ０に対す
るＲ色光やＢ色光の明るさの分布Ｄ２の差分をとり、該差分を色ムラ値Ｓとして算出する
。
【００３９】
制御部本体２３６は、例えば、ＣＰＵ(Central Processing Unit)等を含んで構成され
、メインメモリ２３２等に記憶された所定のプログラムにしたがって、ＰＣ２全体を制御
する部分である。この制御部本体２３６は、図２に示すように、モード移行部２３６１と
、色ムラ値判定部２３６２と、表示制御部２３６３等を備える。
【００４０】
表示制御部２３６３は、表示部２２を駆動制御し、表示部２２に所定の情報を表示させ
る。表示制御部２３６３による表示部２２の駆動制御により、表示部２２に表示される情
報としては、例えば、以下の情報がある。
図４は、表示部２２に表示される情報の一例を示す図である。
例えば、メインメモリ２３２等に、プロジェクタ３のモード（投射モードおよび補正モ
ード）の選択や、補正パラメータの設定を実施するためのメニュー表示欄に関するメニュ
ー情報を記憶しておく。なお、補正パラメータの設定を実施するためのメニュー情報とし
ては、例えば、色調整、明るさ調整等がある。また、補正パラメータとしては、例えば、
解像度変換、輪郭強調、白黒伸長、色変換、γ補正、ＶＴ−γ補正、形状変換、ゴースト
補正、クロストーク補正、色ムラ補正等の補正パラメータが例示できる。
そして、表示制御部２３６３は、操作部２１から出力される所定の操作信号に基づいて
、図４に示すように、表示部２２に前記メニュー情報に基づくメニュー表示欄２２Ａを表
示させる。そして、このメニュー表示欄２２Ａを利用者が操作部２１により操作すること
で、プロジェクタ３のモードの選択や、補正パラメータの設定等が実施される。
【００４１】
また、例えば、表示制御部２３６３は、プロジェクタ３の駆動時間（後述する液晶ライ
トバルブの駆動時間）をタイマ等により計測し、該計測時間が所定の時間経過した場合に
、色ムラ補正パラメータを更新する旨の情報を表示部２２に表示させ、補正モードへの移
行を利用者に促す。
【００４２】
モード移行部２３６１は、投射モードまたは補正モードに移行する。
例えば、モード移行部２３６１は、操作部２１によりメニュー表示欄２２Ａが操作され
、投射モードに移行する旨、および補正モードに移行する旨のモード移行情報が設定入力
された場合に、操作部２１から出力されるモード移行情報としての操作信号を入力する。
モード移行部２３６１は、前記モード移行情報に基づいて、投射モードまたは補正モード
に移行する。
【００４３】
ここで、投射モードとは、ＰＣ２側からＵＳＢケーブル４を介して画像データ（上述し
た差分データ）をプロジェクタ３側に伝送し、プロジェクタ３が画像データに応じた光学
像を拡大投射するモードである。
具体的に、モード移行部２３６１は、投射モードに移行する場合には、ＵＳＢケーブル
４を介して所定の制御指令をプロジェクタ３側に伝送する。
ここで、投射モードに移行する場合にＵＳＢケーブル４を介してプロジェクタ３側に伝
送される前記所定の制御指令とは、以下の制御指令である。
すなわち、プロジェクタ３を構成する後述する制御装置および光源装置に供給する駆動
電圧を、ＡＣケーブル５（図６参照）を介して外部電源から供給される電力に基づく駆動
電圧に設定する旨の制御指令等がある。
【００４４】
また、補正モードとは、プロジェクタ３側にて画像データに対して色ムラ補正を実施す
る際に用いる色ムラ補正パラメータを補正するモードである。
具体的に、モード移行部２３６１は、補正モードに移行する場合には、ＵＳＢケーブル
４を介して所定の制御指令とともにキャリブレーション画像記憶部２３７に記憶されたキ
ャリブレーション画像データをプロジェクタ３側に伝送する。
ここで、補正モード時に移行する場合にＵＳＢケーブル４を介してプロジェクタ３側に
伝送される前記所定の制御指令とは、以下の制御指令である。
すなわち、プロジェクタ３を構成する後述する制御装置、補正用光源装置、および受光
素子に供給する駆動電圧を、ＵＳＢケーブル４を介して供給される電力に基づく駆動電圧
に設定する旨の制御指令、前記補正用光源装置を駆動する旨の制御指令、キャリブレーシ
ョン画像データに基づく光学像を形成する旨の制御指令、および前記受光素子にて光学像
の少なくとも一部を受光させ受光情報を生成する旨の制御指令等がある。
また、モード移行部２３６１は、補正モードに移行する場合には、所定の制御指令を画
像処理部２３５に出力して色ムラ補正パラメータ生成部２３５５および色ムラ値算出部２
３５６に処理を実行させる。
【００４５】
色ムラ値判定部２３６２は、補正モード時において、色ムラ値算出部２３５６にて算出
された輝度ムラ値Ｐや色ムラ値Ｓを認識し、該輝度ムラ値Ｐや色ムラ値Ｓと、例えばメイ
ンメモリ２３２等に記憶された基準値とを比較し、輝度ムラ値Ｐや色ムラ値Ｓが基準値の
範囲外であるか否かを判定する。すなわち、色ムラ値判定部２３６２は、輝度ムラ値Ｐや
色ムラ値Ｓが基準値の範囲外であるか否かを判定することで、投影画像に輝度ムラや色ム
ラが生じているか否かを判定する。
【００４６】
〔プロジェクタの構成〕
図５は、プロジェクタ３の光学系を模式的に示す平面図である。
図６は、プロジェクタ３の概略構成を示すブロック図である。
プロジェクタ３は、図５または図６に示すように、プロジェクタ本体３１と、電源生成
部３２（図６）と、制御装置３３（図６）とで大略構成されている。
プロジェクタ本体３１は、制御装置３３による制御の下、光学像を形成してスクリーン
Ｓｃに拡大投射する。このプロジェクタ本体３１は、図５に示すように、外装筺体３１１
と、蓋部材としてのレンズ蓋３１２と、光束検出部としての複数の受光素子３１３と、光
学ユニット３１４と、補正用光源装置３１５とを備える。
【００４７】
外装筺体３１１は、図５に示すように、光学ユニット３１４および補正用光源装置３１
５を内部に収納配置する筺体である。なお、図５では図示を省略するが、外装筺体３１１
内において、光学ユニット３１４および補正用光源装置３１５以外の空間には、電源生成
部３２および制御装置３３等が配置される。
この外装筺体３１１において、前面側には、図５に示すように、光学ユニット３１４を
構成する後述する投射レンズの先端部分を露出する開口３１１１が形成されている。そし
て、この開口３１１１を介して光学像がスクリーンＳｃに向けて拡大投射される。
【００４８】
レンズ蓋３１２は、図５に示すように、外装筺体３１１の開口３１１１周縁部分に着脱
自在に構成される蓋部材である。すなわち、プロジェクタ３を用いて光学像を拡大投射す
る場合（投射モード時）にレンズ蓋３１２を外装筺体３１１から取り外し、プロジェクタ
３を用いて光学像を拡大投射しない場合（例えば、補正モード時）にレンズ蓋３１２を外
装筺体３１１に取り付ける。
複数の受光素子３１３は、図５に示すように、レンズ蓋３１２の裏面側（外装筺体３１
１に対してレンズ蓋３１２を取り付けた際に開口３１１１に対向する側）に取り付けられ
、外装筺体３１１に対してレンズ蓋３１２を取り付けた際に制御装置３３と電気的に接続
する。そして、複数の受光素子３１３は、制御装置３３による制御の下、開口３１１１を
介して射出される光学像を受光する。そして、受光素子３１３は、受光した光量（明るさ
）に応じた検出情報としての受光信号を制御装置３３に出力する。この受光素子３１３と
しては、例えば、フォトダイオード等を採用できる。
【００４９】
なお、レンズ蓋３１２に対する受光素子３１３の配設位置および数は、開口３１１１を
介した光学像の少なくとも一部を受光可能であればよく、特に限定されない。
例えば、レンズ蓋３１２の裏面側において、開口３１１１を介した光学像の照射領域に
亘って各画素に対応して満遍なく複数配設する構成としてもよい。
また、例えば、レンズ蓋３１２の裏面側において、前記照射領域に所定の間隔を空けて
複数配設する構成としてもよい。
さらに、例えば、レンズ蓋３１２の裏面側において、光学ユニット３１４を構成する光
学要素である後述する液晶ライトバルブ等の熱劣化の生じやすい領域、例えば、前記照射
領域の略中央部分に複数配設する構成としてもよい。
さらにまた、上述したように受光素子３１３を複数配設する構成の他、受光素子３１３
を１つのみ配設する構成を採用してもよい。この際、例えば、受光素子３１３の光束入射
側に拡散板等を配設すれば、光学像が前記拡散板を通過することで前記照射領域に照度の
均一な光が照射されることとなり、１つの受光素子３１３でも光学像を受光できる。
【００５０】
光学ユニット３１４は、図４に示すように、照明光学系３１４１と、色分離光学系３１
４２と、リレー光学系３１４３と、光変調素子としての３つの液晶ライトバルブ３１４４
と、色合成光学装置としてのクロスダイクロイックプリズム３１４５と、投射光学装置と
しての投射レンズ３１４６とを備える。
照明光学系３１４１は、液晶ライトバルブ３１４４の画像形成領域をほぼ均一に照明す
るための光学系である。この照明光学系３１４１は、図５に示すように、光源装置３１４
１Ａと、第１レンズアレイ３１４１Ｂと、第２レンズアレイ３１４１Ｃと、偏光変換素子
３１４１Ｄ等を備える。
【００５１】
光源装置３１４１Ａは、制御装置３３による制御の下、光束を射出する。この光源装置
３１４１Ａは、具体的な図示は省略するが、光源ランプと、ランプドライバとを備える。
光源ランプは、超高圧水銀ランプにて構成されている。なお、超高圧水銀ランプに限ら
ず、メタルハライドランプ、キセノンランプ等の他の放電発光型の光源ランプを採用して
もよい。さらに、放電発光型の光源ランプに限らず、発光ダイオード、レーザダイオード
、有機ＥＬ素子、シリコン発光素子等の各種固体発光素子を採用してもよい。
ランプドライバは、制御装置３３による制御の下、所定の駆動電圧で光源ランプを駆動
する。
【００５２】
第１レンズアレイ３１４１Ｂは、光軸方向から見て略矩形状の輪郭を有する小レンズが
マトリクス状に配列された構成を有している。各小レンズは、光源装置３１４１Ａから射
出される光束を、複数の部分光束に分割している。
第２レンズアレイ３１４１Ｃは、第１レンズアレイ３１４１Ｂと略同様な構成を有して
おり、小レンズがマトリクス状に配列された構成を有している。この第２レンズアレイ３
１４１Ｃは、第１レンズアレイ３１４１Ｂの各小レンズの像を液晶ライトバルブ３１４４
の画像形成領域に結像させる機能を有している。
偏光変換素子３１４１Ｄは、第２レンズアレイ３１４１Ｂからの光を略１種類の偏光光
に変換するものである。
【００５３】
色分離光学系３１４２は、図５に示すように、２枚のダイクロイックミラー３１４２Ａ
，３１４２Ｂと、反射ミラー３１４２Ｃとを備え、ダイクロイックミラー３１４２Ａ，３
１４２Ｂにより照明光学系３１４１から射出された複数の部分光束を赤、緑、青の３色の
色光に分離する機能を有している。
リレー光学系３１４３は、入射側レンズ３１４３Ａ、リレーレンズ３１４３Ｂ、および
反射ミラー３１４３Ｃ，３１４３Ｄを備え、色分離光学系３１４２で分離された色光を青
色光用の液晶ライトバルブまで導く機能を有している。
【００５４】
この際、色分離光学系３１４２のダイクロイックミラー３１４２Ａでは、照明光学系３
１４１から射出された光束の赤色光成分が透過するとともに、緑色光成分と青色光成分と
が反射する。ダイクロイックミラー３１４２Ａによって透過した赤色光は、反射ミラー３
１４２Ｃで反射し、赤色光用の液晶ライトバルブ３１４４Ｒに達する。また、ダイクロイ
ックミラー３１４２Ａで反射した緑色光と青色光のうちで、緑色光はダイクロイックミラ
ー３１４２Ｂで反射し、緑色光用の液晶ライトバルブ３１４４Ｇに達する。一方、青色光
はダイクロイックミラー３１４２Ｂを透過してリレー光学系３１４３を通り、青色光用の
液晶ライトバルブ３１４４Ｂに達する。なお、青色光にリレー光学系３１４３が用いられ
ているのは、青色光の光路の長さが他の色光の光路の長さよりも長いため、光の拡散等に
よる光の利用効率の低下を防止するためである。すなわち、入射側レンズ３１４３Ａに入
射した部分光束をそのまま青色光用の液晶ライトバルブ３１４４Ｂに伝えるためである。
なお、リレー光学系３１４３には、３つの色光のうち青色光を通す構成としたが、これに
限らず、例えば、赤色光を通す構成としてもよい。
【００５５】
３つの液晶ライトバルブ３１４４（赤色光用の液晶ライトバルブを３１４４Ｒ、緑色光
用の液晶ライトバルブを３１４４Ｇ、青色光用の液晶ライトバルブを３１４４Ｂとする）
は、透過型の液晶パネルであり、制御装置３３からの駆動信号に基づいて、液晶セル（図
示略）に封入された液晶分子の配列を変化させ、光源装置３１４１Ａから射出された光束
を、透過若しくは遮断することによりＰＣ２にて処理された画像データに応じた光学像を
射出する。
【００５６】
クロスダイクロイックプリズム３１４５は、各液晶ライトバルブ３１４４の光路後段に
配置され、各液晶ライトバルブ３１４４から射出された色光毎に変調された光学像を合成
してカラー画像を形成する光学素子である。このクロスダイクロイックプリズム３１４５
は、４つの直角プリズムを貼り合わせた平面視正方形状をなし、直角プリズム同士を貼り
合わせた界面には、２つの誘電体多層膜が形成されている。これら誘電体多層膜は、液晶
ライトバルブ３１４４Ｒ，３１４４Ｂから射出された各色光を反射し、液晶ライトバルブ
３１４４Ｇから射出された色光を透過する。このようにして、各液晶ライトバルブ３１４
４にて変調された各色光が合成されてカラー画像が形成される。
投射レンズ３１４６は、クロスダイクロイックプリズム３１４５にて合成されたカラー
画像をスクリーンＳｃ上に拡大投射する。
【００５７】
補正用光源装置３１５は、外装筺体３１１内部における光学ユニット３１４の光路中に
着脱自在に構成され、外装筺体３１１内部に設置した際に、制御装置３３と電気的に接続
する。そして、補正用光源装置３１５は、後述する補正モード時において、制御装置３３
による制御の下、点灯し、色ムラ補正パラメータを補正するための補正用光束を各液晶ラ
イトバルブ３１４４に射出する。本実施形態では、補正用光源装置３１５は、図５に示す
ように、偏光変換素子３１４１Ｄおよびダイクロイックミラー３１４２Ａの間に配置可能
に構成される。この補正用光源装置３１５は、Ｒ色光を射出するＲ色光用ＬＥＤ(Light E
mitting Diode)モジュール３１５Ｒと、Ｇ色光を射出するＧ色光用ＬＥＤモジュール３１
５Ｇと、Ｂ色光を射出するＢ色光用ＬＥＤモジュール３１５Ｂと、これら各ＬＥＤモジュ
ール３１５Ｒ，３１５Ｇ，３１５Ｂを支持し外装筺体３１１内部に着脱自在とする支持基
体３１５Ａとで構成される。
これらＬＥＤモジュール３１５Ｒ，３１５Ｇ，３１５Ｂは、略同様の構成であり、具体
的な図示は省略するが、Ｓｉ基板上に固体発光素子である複数のＬＥＤ素子が配列形成さ
れている。なお、ＬＥＤモジュール３１５Ｒ，３１５Ｇ，３１５Ｂを構成するＬＥＤ素子
は、結晶の種類および添加物等が異なるように形成されたものであり、それぞれＲ色光、
Ｇ色光、Ｂ色光を発する。
なお、補正用光源装置３１５としては、上述したＬＥＤモジュールに限らず、その他の
構成、例えば、レーザダイオードや、有機ＥＬ素子、シリコン発光素子等の各種固体発光
素子を採用してもよい。
【００５８】
電源生成部３２は、外部電源と接続したＡＣケーブル５（図６）を介して外部から供給
される電力、およびＵＳＢケーブル４を介してＰＣ２側から供給される電力を、プロジェ
クタ３内の各構成要素に供給する部分である。すなわち、電源生成部３２は、ＡＣケーブ
ル５を介して外部から供給される交流電力をＡＣ／ＤＣ変換して所定のレベルに安定した
駆動電圧とする電源変換回路や、ＵＳＢケーブル４を介してＰＣ２側から供給されるＶＣ
Ｃ電圧をＤＣ／ＤＣ変換して駆動電圧を生成する電源変換回路等を含んで構成されている
。
そして、電源生成部３２は、制御装置３３の制御の下、以下に示すように、動作する。
【００５９】
例えば、投射モードに移行する場合には、電源生成部３２は、ＡＣケーブル５を介して
外部電源から供給される交流電力をＡＣ／ＤＣ変換して所定のレベルに安定した駆動電圧
を生成し、該駆動電圧を、光源装置３１４１Ａおよび制御装置３３にそれぞれ供給する。
また、例えば、補正モードに移行する場合には、電源生成部３２は、ＵＳＢケーブル４
を介してＰＣ２側から供給されるＶＣＣ電圧をＤＣ／ＤＣ変換して駆動電圧を生成し、該
駆動電圧を、受光素子３１３、補正用光源装置３１５、および制御装置３３にそれぞれ供
給する。すなわち、補正モード時においては、光源装置３１４１Ａが消灯することとなる
。
なお、本実施形態では、電源生成部３２は、ＡＣケーブル５がコンセントまたはプロジ
ェクタ３から外されている状態でかつ、ＵＳＢケーブル４にてプロジェクタ３およびＰＣ
２が接続されている状態では、ＵＳＢケーブル４を介してＰＣ２側から供給されるＶＣＣ
電圧をＤＣ／ＤＣ変換して駆動電圧を生成し、該駆動電圧を少なくとも制御装置３３に供
給するように動作する。
【００６０】
制御装置３３は、ＰＣ２側からの制御指令にしたがって、プロジェクタ３全体を制御す
る。この制御装置３３は、図６に示すように、ＵＳＢコントローラ３３１と、画像補正パ
ラメータ記憶部３３２と、制御部本体３３３等を備える。これら各構成要素３３１〜３３
３は、図示しないバスにより接続され、必要な情報が伝送可能に構成されている。
ＵＳＢコントローラ３３１は、ＰＣ２のＵＳＢコントローラ３３１と同様のものであり
、ＰＣ２のＵＳＢコネクタＣ１（図２）およびプロジェクタ３のＵＳＢコネクタＣ２（図
６）とがＵＳＢケーブル４にて接続された際にＵＳＢケーブル４を介してＰＣ２と電気的
に接続し、ＰＣ２とＵＳＢ規格でデータの入出力を実施する部分である。
【００６１】
画像補正パラメータ記憶部３３２は、図６に示すように、送信用補正パラメータ記憶部
３３２１と、内部処理用補正パラメータ記憶部３３２２とを備える。
送信用補正パラメータ記憶部３３２１は、ＰＣ２で画像補正するための補正パラメータ
を記憶している。
送信用補正パラメータ記憶部３３２１に記憶される補正パラメータとしては、解像度変
換、輪郭強調、白黒伸長、色変換、γ補正、ＶＴ−γ補正、形状変換のための補正パラメ
ータがある。
ＰＣ２とプロジェクタ３とがＵＳＢケーブル４で接続された際には、ＰＣ２が送信用補
正パラメータ記憶部３３２１に記憶された補正パラメータの情報を読み出して画像補正パ
ラメータ記憶部２３４に記憶する。
【００６２】
内部処理用補正パラメータ記憶部３３２２は、プロジェクタ３で画像処理するための補
正パラメータを記憶している。
内部処理用補正パラメータ記憶部３３２２に記憶される補正パラメータとしては、ゴー
スト補正、クロストーク補正、色ムラ補正のための補正パラメータがある。これらのうち
、色ムラ補正パラメータは、補正モード時において、ＰＣ２側にて色ムラ補正パラメータ
が生成されＵＳＢケーブル４を介して伝送される毎に更新される。
ここで、クロストークとは、隣の画素に対する信号の漏れ電流により画素が駆動される
ことによる画像のムラであり、ゴーストとは、映像がずれて重なって見えることをいう。
【００６３】
ここで、ゴースト補正、クロストーク補正をプロジェクタ３側で行うのは、ＰＣ２側で
ゴースト補正およびクロストーク補正を行ってしまうと、差分データが大きくなってしま
うため、ＵＳＢケーブル４の転送レートではデータ伝送が間に合わないためである。
また、色ムラ補正をプロジェクタ３側で行うのは、色ムラ補正は最後に行うことが望ま
しいため、プロジェクタ３においてゴースト補正およびクロストーク補正を行った後に、
続いて色ムラ補正を行うからである。
【００６４】
制御部本体３３３は、例えば、ＣＰＵ等を含んで構成され、ＰＣ２側からの制御指令等
にしたがって、プロジェクタ３全体を制御する部分である。この制御部本体３３３は、図
６に示すように、電源制御部３３３１と、受光情報生成部３３３２と、液晶パネル駆動制
御部３３３３等を備える。
液晶パネル駆動制御部３３３３は、図６に示すように、画像生成部３３３３Ａと、色ム
ラ補正処理部としての画像補正演算処理部３３３３Ｂとを備える。
画像生成部３３３３Ａは、図６に示すように、デコーダ３３３３Ａ１と、現画像生成部
３３３３Ａ２とを備える。
【００６５】
デコーダ３３３３Ａ１は、ＰＣ２から伝送された画像データを復調する。すなわち、Ｐ
Ｃ２からの画像データは、エンコーダ２３５４にて符号化されているところ、デコーダ３
３３３Ａ１で復調することにより差分データが得られる。
現画像生成部３３３３Ａ２は、現在投影している画像データに対して復調された差分デ
ータを合成して、新たに現画像データを生成する。
画像補正演算処理部３３３３Ｂは、現画像生成部３３３３Ａ２にて生成された現画像デ
ータに対して、内部処理用補正パラメータ記憶部３３２２に記憶された各種補正パラメー
タを用いて、ゴースト補正処理、クロストーク補正処理、色ムラ補正処理等の各補正処理
を行う。そして、画像補正演算処理部３３３３Ｂにて各補正処理が施された現画像データ
に基づく駆動信号が液晶ライトバルブ３１４４に出力され、液晶ライトバルブ３１４４に
て現画像データに基づく光学像が形成される。
また、液晶パネル駆動制御部３３３３は、補正モード時において、ＰＣ２から伝送され
たキャリブレーション画像データに対しても上記同様の補正処理を実施し、液晶ライトバ
ルブ３１４４にキャリブレーション画像データに基づく光学像（キャリブレーション画像
）を形成させる。
【００６６】
電源制御部３３３１は、ＰＣ２側からの制御指令や図示しないメモリに記憶されたプロ
グラムにしたがって、電源生成部３２を駆動制御する。
例えば、電源制御部３３３１は、ＰＣ２側から伝送された投射モードに移行する旨の制
御指令にしたがって、電源生成部３２を駆動制御し、ＡＣケーブル５を介して供給される
電力に基づいて駆動電圧を生成させ、該駆動電圧を光源装置３１４１Ａおよび制御装置３
３にそれぞれ供給させる。
また、例えば、電源制御部３３３１は、ＰＣ２側から伝送された補正モードに移行する
旨の制御指令にしたがって、電源生成部３２を駆動制御し、ＵＳＢケーブル４を介してＰ
Ｃ２側から供給される電力に基づいて駆動電圧を生成させ、該駆動電圧を受光素子３１３
、補正用光源装置３１５、および制御装置３３にそれぞれ供給させる。
【００６７】
受光情報生成部３３３２は、補正モード時において、受光素子３１３から出力される受
光信号を入力し、該受光信号に基づく光量（明るさ）と、受光した受光素子３１３の位置
（画素の位置や画素領域の位置に対応する位置）とを関連付けた受光情報を生成する。そ
して、受光情報生成部３３３２は、生成した受光情報を、ＵＳＢコントローラ３３１およ
びＵＳＢケーブル４を介してＰＣ２側に伝送する。
【００６８】
〔プロジェクションシステムの動作〕
次に、上述したプロジェクションシステム１の動作について図面を参照して説明する。
図７は、プロジェクションシステム１の動作を説明するフローチャートである。
なお、以下では、プロジェクションシステム１の動作のうち、補正モード時における動
作を主に説明し、投射モード時における動作については説明を省略する。
また、予め以下に示すように設置している状態とする。
すなわち、補正用光源装置３１５を外装筺体３１１内部に設置している。
また、レンズ蓋３１２を外装筺体３１１の開口３１１１周縁部分に取り付けている。
さらに、ＰＣ２およびプロジェクタ３間をＵＳＢケーブル４にて接続している。すなわ
ち、プロジェクタ３において、電源生成部３２は、ＵＳＢケーブル４を介してＰＣ２側か
ら供給される電力に基づく駆動電圧を制御装置３３に供給している。
【００６９】
ＰＣ２を構成する表示制御部２３６３は、プロジェクタ３の駆動時間（液晶ライトバル
ブ３１４４の駆動時間）をタイマ等により計測し、計測時間が所定の時間経過した場合に
、色ムラ補正パラメータを更新する旨の情報を表示部２２に表示させ、補正モードへの移
行を利用者に促す。
そして、ＰＣ２を構成するモード移行部２３６１は、操作部２１の操作によりメニュー
表示欄２２Ａが操作され、補正モードに移行する旨のモード移行情報が設定入力されたか
否かを常に監視する（ステップＳ１０Ａ）。
【００７０】
ステップＳ１０Ａにおいて、モード移行部２３６１は、「Ｙ」と判定した場合、すなわ
ち、補正モードに移行する旨のモード移行情報が設定入力されたと判定した場合には、所
定の制御指令とともにキャリブレーション画像データをプロジェクタ３側に送信する（ス
テップＳ１０Ｂ）。
ステップＳ１０Ｂの後、プロジェクタ３の制御装置３３は、ＰＣ２から送信された制御
指令およびキャリブレーション画像データを受信する（ステップＳ１０Ｃ）。
【００７１】
ステップＳ１０Ｃの後、電源制御部３３３１は、ＰＣ２から送信された制御指令にした
がって、電源生成部３２を駆動制御し、ＵＳＢケーブル４を介してＰＣ２側から供給され
る電力に基づいて駆動電圧を生成させ、該駆動電圧を受光素子３１３、補正用光源装置３
１５、および制御装置３３にそれぞれ供給させる（ステップＳ１０Ｄ）。
ステップＳ１０Ｄの後、制御部本体３３３は、ＰＣ２から送信された制御指令にしたが
って、補正用光源装置３１５を駆動させ、ＬＥＤモジュール３１５ＧからＧ色光を射出さ
せる（ステップＳ１０Ｅ）。
【００７２】
ステップＳ１０Ｅの後、制御部本体３３３は、ＰＣ２から送信されたキャリブレーショ
ン画像データを取得する。そして、制御部本体３３３は、液晶パネル駆動制御部３３３３
に所定の制御指令を出力する。液晶パネル駆動制御部３３３３は、内部処理用補正パラメ
ータ記憶部３３２２に記憶された色ムラ補正パラメータを用いてキャリブレーション画像
データに対して色ムラ補正処理を実施し、Ｇ色光用の液晶ライトバルブ３１４４Ｇにキャ
リブレーション画像データに基づく光学像（キャリブレーション画像）を形成させる（ス
テップＳ１０Ｆ）。
【００７３】
ステップＳ１０Ｆの後、制御部本体３３３は、複数の受光素子３１３のうち、ＰＣ２か
ら送信されたキャリブレーション画像データにおける所定の階調（０階調でない階調）を
有する画素または画素領域に応じた位置に配設される受光素子３１３を駆動し、補正用光
源装置３１５から射出されＧ色光用の液晶ライトバルブ３１４４Ｇ、クロスダイクロイッ
クプリズム３１４５、および投射レンズ３１４６を介した光学像を前記受光素子３１３に
受光させる（ステップＳ１０Ｇ）。そして、前記受光素子３１３は、受光した光量に応じ
た受光信号を制御装置３３に出力する。
【００７４】
ステップＳ１０Ｇの後、受光情報生成部３３３２は、前記受光素子３１３から出力され
る受光信号に基づく光量（明るさ）と、前記受光素子３１３の位置（画素の位置、または
画素領域の位置に対応する位置）とを関連付けた受光情報を生成し（ステップＳ１０Ｈ）
、ＰＣ２側に送信する（ステップＳ１０Ｉ）。
ステップＳ１０Ｉの後、ＰＣ２の制御部本体２３６は、プロジェクタ３側から送信され
た受光情報を受信する（ステップＳ１０Ｊ）。そして、制御部本体２３６は、受信した受
光情報を例えばメインメモリ２３２等に記憶させる。
【００７５】
ステップＳ１０Ｊの後、制御部本体２３６は、キャリブレーション画像記憶部２３７に
記憶された全てのキャリブレーション画像データを送信し、全てのキャリブレーション画
像データに対応したＧ色光用の液晶ライトバルブ３１４４Ｇを介した光束（Ｇ色光）にお
ける全ての受光情報を受信したか否かを判定する（ステップＳ１０Ｋ）。
ステップＳ１０Ｋにおいて、制御部本体２３６は、「Ｎ」と判定した場合、すなわち、
全てのキャリブレーション画像データに対応したＧ色光における全ての受光情報を受信し
ていないと判定した場合には、再度、ステップＳ１０Ｂに戻り、その他のキャリブレーシ
ョン画像データをプロジェクタ３側に送信してプロジェクタ３に上述したステップＳ１０
Ｃ〜Ｓ１０Ｉの処理を実施させ、Ｇ色光における他の受光情報を受信する。すなわち、制
御部本体２３６が全てのキャリブレーション画像データに対応したＧ色光における全ての
受光情報を受信するまで、ステップＳ１０Ｂ〜Ｓ１０Ｊが繰り返し実施される。
【００７６】
ステップＳ１０Ｋにおいて、制御部本体２３６は、「Ｙ」と判定した場合、すなわち、
全てのキャリブレーション画像データに対応したＧ色光における全ての受光情報を受信し
たと判定した場合には、Ｇ色光以外の他のＲ色光用、Ｂ色光用の液晶ライトバルブ３１４
４Ｒ，３１４４Ｂを介した光束（Ｒ色光およびＢ色光）における全ての受光情報を受信し
たか否かを判定する（ステップＳ１０Ｌ）。
ステップＳ１０Ｌにおいて、制御部本体２３６は、「Ｎ」と判定した場合、すなわち、
全てのキャリブレーション画像データに対応した他のＲ色光およびＢ色光における全ての
受光情報を受信していないと判定した場合には、再度、ステップＳ１０Ｂに戻る。そして
、制御部本体２３６は、ＬＥＤモジュール３１５Ｒを駆動する旨の制御指令、Ｒ色光用の
液晶ライトバルブ３１４４Ｒにキャリブレーション画像を形成させる旨の制御指令等を送
信し、上記同様に、プロジェクタ３側にステップＳ１０Ｃ〜Ｓ１０Ｉの処理を実施させ、
Ｒ色光における受光情報を受信する。そして、全てのキャリブレーション画像データに対
応したＲ色光における全ての受光情報を受信するまで、ステップＳ１０Ｂ〜Ｓ１０Ｊが繰
り返し実施される。また、同様に、全てのキャリブレーション画像データに対応したＢ色
光における全ての受光情報を受信するまで、ステップＳ１０Ｂ〜Ｓ１０Ｊが繰り返し実施
される。
【００７７】
ステップＳ１０Ｌにおいて、制御部本体２３６は、「Ｙ」と判定した場合、すなわち、
全てのキャリブレーション画像データに対応した各Ｒ，Ｇ，Ｂ色光における全ての受光情
報を受信したと判定した場合には、画像処理部２３５に所定の制御指令を出力する。そし
て、色ムラ値算出部２３５６は、例えばメインメモリ２３２等に記憶された全てのキャリ
ブレーション画像データに対応した各Ｒ，Ｇ，Ｂ色光における全ての受光情報に基づいて
、上述した図３（Ｂ），（Ｃ）に示すように、画素毎または画素領域毎に全画素領域に亘
って、各輝度ムラ値Ｐおよび各色ムラ値Ｓを算出する（ステップＳ１０Ｍ）。
【００７８】
ステップＳ１０Ｍの後、色ムラ値判定部２３６２は、算出された各輝度ムラ値Ｐや各色
ムラ値Ｓと、例えばメインメモリ２３２等に記憶された基準値とを比較し、各輝度ムラ値
Ｐや各色ムラ値Ｓが基準値の範囲外であるか否かを判定する（ステップＳ１０Ｎ）。
ステップＳ１０Ｎにおいて、色ムラ値判定部２３６２にて「Ｎ」と判定された場合、す
なわち、各輝度ムラ値Ｐや各色ムラ値Ｓが基準値の範囲内であり輝度ムラや色ムラが生じ
ていないと判定された場合には、補正モードを終了する。この際、輝度ムラや色ムラが生
じていない旨の情報を表示部２２に表示させて利用者に前記情報を認識させる構成として
もよい。
【００７９】
ステップＳ１０Ｎにおいて、色ムラ値判定部２３６２にて「Ｙ」と判定された場合、す
なわち、各輝度ムラ値Ｐや各色ムラ値Ｓのいずれかが基準値の範囲外であり輝度ムラや色
ムラが生じていると判定された場合には、色ムラ補正パラメータ生成部２３５５は、例え
ばメインメモリ２３２等に記憶された全てのキャリブレーション画像データに対応した各
Ｒ，Ｇ，Ｂ色光における全ての受光情報に基づいて、上述した図３（Ｂ），（Ｃ）に示す
ように、各液晶ライトバルブ３１４４Ｒ，３１４４Ｇ，３１４４Ｂに用いる各色ムラ補正
パラメータを生成する（ステップＳ１０Ｏ）。
【００８０】
ステップＳ１０Ｏの後、制御部本体２３６は、各色ムラ補正パラメータをプロジェクタ
３側に送信する（ステップＳ１０Ｐ）。
ステップＳ１０Ｐの後、プロジェクタ３の制御装置３３は、ＰＣ２から送信された各色
ムラ補正パラメータを受信する（ステップＳ１０Ｑ）。
ステップＳ１０Ｑの後、制御部本体３３３は、内部処理用補正パラメータ記憶部３３２
２に記憶されている色ムラ補正パラメータを、受信した色ムラ補正パラメータに更新する
（ステップＳ１０Ｒ）。
【００８１】
ステップＳ１０Ｒの後、ＰＣ２の制御部本体２３６は、色ムラ補正パラメータを生成し
てプロジェクタ３側に色ムラ補正パラメータを更新させた後、新たな色ムラ補正パラメー
タが適正なパラメータであるかの確認を実施したか否かを判定する（ステップＳ１０Ｓ）
。
ステップＳ１０Ｓにおいて、制御部本体２３６は、「Ｎ」と判定した場合、すなわち、
新たな色ムラ補正パラメータが適正なパラメータであるかの確認を実施していないと判定
した場合には、再度、ステップＳ１０Ｂに戻る。そして、上述したステップＳ１０Ｂ〜Ｓ
１０Ｎが実施される。この際、ステップＳ１０Ｆでは、新たな色ムラ補正パラメータを用
いてキャリブレーション画像データに対して色ムラ補正処理が実施され、該色ムラ補正処
理が実施されたキャリブレーション画像データに基づく光学像が形成される。そして、ス
テップＳ１０Ｎにおいて、各輝度ムラ値Ｐや各色ムラ値Ｓが基準値の範囲外であるか否か
を判定することで、新たな色ムラ補正パラメータが適正なパラメータであるか否かを確認
している。すなわち、各輝度ムラ値Ｐや各色ムラ値Ｓのいずれかが基準値の範囲外である
と判定した場合には、新たな色ムラ補正パラメータが適正なパラメータではないため、再
度、ステップＳ１０Ｏにおいて、色ムラ補正パラメータを生成して、プロジェクタ３側に
色ムラ補正パラメータを更新させる。一方、各輝度ムラ値Ｐや各色ムラ値Ｓが基準値の範
囲内であると判定した場合には、補正モードを終了する。
【００８２】
上述した第１実施形態においては、以下の効果がある。
プロジェクタ３において、レンズ蓋３１２に複数の受光素子３１３が設けられているの
で、補正モード時にレンズ蓋３１２を開口３１１１の周縁部分に取り付けておけば、液晶
ライトバルブ３１４４、クロスダイクロイックプリズム３１４５、および投射レンズ３１
４６を介した光学像を、直接、複数の受光素子３１３にて受光できる。このため、補正モ
ード時において、利用者にスクリーンＳｃやプロジェクタを設置させる必要がなく、利便
性の向上が図れる。また、ＰＣ２の色ムラ補正パラメータ生成部２３５５は、複数の受光
素子３１３にて受光され出力される光量に応じた受光信号を含む受光情報に基づいて色ム
ラ補正パラメータを生成するので、プロジェクタ３が設置された環境に依存せずに色ムラ
補正パラメータを適切に生成できる。
したがって、スクリーンＳｃ上に画像を投影せずに投影画像に生じる色ムラを補正する
ための色ムラ補正パラメータを適切に補正でき、該色ムラ補正パラメータに用いて液晶ラ
イトバルブ３１４４等の光学要素の経時変化により投影画像に生じる輝度ムラおよび色ム
ラを良好に補正できる。
【００８３】
また、プロジェクタ３は、内部処理用補正パラメータ記憶部３３２２および画像補正演
算処理部３３３３Ｂを備え、色ムラ補正処理をプロジェクタ３側にて実施する。このこと
により、例えば、ＰＣ２側にて色ムラ補正処理を実施する構成と比較して、プロジェクタ
３側にて最後に色ムラ補正処理を実施することができ、画像補正処理を最も迅速に実施す
ることができる。
【００８４】
ここで、プロジェクタ３は、光源装置３１４１Ａとは別に、補正モード時において補正
用光束を液晶ライトバルブ３１４４に対して射出する補正用光源装置３１５を備えている
ので、補正モード時において複数の受光素子３１３の受光感度に応じた光量の光束を射出
する光源を用いることができ、ＰＣ２により複数の受光素子３１３にて受光され出力され
る光量に応じた受光信号を含む受光情報に基づいて色ムラ補正パラメータを適切に生成で
きる。また、補正用光源装置３１５は、低照度・低消費電力のＬＥＤモジュール３１５Ｒ
，３１５Ｇ，３１５Ｂで構成されているので、補正モード時における低消費電力化が図れ
る。
【００８５】
また、プロジェクタ３における電源生成部３２は、補正モード時に、ＵＳＢケーブル４
を介したＰＣ２からの電力に基づいて駆動電圧を生成し、該駆動電圧を補正モード時に動
作する構成要素である受光素子３１３、補正用光源装置３１５、および制御装置３３にそ
れぞれ供給する。このことにより、補正モード時において、プロジェクタ３は、ＵＳＢケ
ーブル４を介したＰＣ２からの電力に基づいて駆動することとなり、プロジェクタ３をＡ
Ｃケーブル５により外部電源と接続する必要がない。このため、プロジェクタ３およびＰ
Ｃ２間をＵＳＢケーブル４にて接続するだけで、補正モード時における色ムラ補正パラメ
ータの生成を実施でき、利便性の向上がさらに図れる。
【００８６】
そして、本実施形態では、光束検出部として受光素子３１３を採用しているので、例え
ば、光束検出部として撮像素子を採用する構成と比較して、プロジェクタ３の低コスト化
が図れる。
また、受光素子３１３がレンズ蓋３１２に取り付けられているので、光源装置３１４１
Ａ、液晶ライトバルブ３１４４、および投射レンズ３１４６に至る光束の光路中に受光素
子３１３を配設する構造を設ける必要がなく、プロジェクタ３の構造の簡素化が図れる。
また、レンズ蓋３１２が開口３１１１に対して着脱自在に構成されているので、通常の投
射モード時においてはレンズ蓋３１２を開口３１１１から取り外し、補正モード時におい
てはレンズ蓋３１２を開口３１１１に取り付けておけば液晶ライトバルブ３１４４から射
出され投射レンズ３１４６を介した光学像を受光素子３１３にて検出できる。このため、
プロジェクタ３の使用モードに応じて受光素子３１３を配設でき、利便性の向上が図れる
。
【００８７】
[第２実施形態]
次に、本発明の第２実施形態を図面に基づいて説明する。
なお、以下の説明では、既に説明した部分と同一の部分については、同一符号を付して
その説明を省略する。
図８は、第２実施形態におけるプロジェクタ３Ａの光学系を模式的に示す平面図である
。
前記第１実施形態では、複数の受光素子３１３は、レンズ蓋３１２に配設されている。
すなわち、複数の受光素子３１３は、投射レンズ３１４６の光路後段側に配設されている
。
これに対して、第２実施形態では、複数の受光素子３１３は、図８に示すように、外装
筐体２内部における光学ユニット３１４の光路中に着脱自在とする挿抜部材３１３Ａに配
設されている。また、挿抜部材３１３Ａは、図８に示すように、クロスダイクロイックプ
リズム３１４５および投射レンズ３１４６の間に着脱自在に構成されている。そして、複
数の受光素子３１３は、挿抜部材３１３Ａを外装筐体２内部に設置した際に制御装置３３
と電気的に接続し、クロスダイクロイックプリズム３１４５を介して射出される光学像を
受光し、受光した光量（明るさ）に応じた受光信号を制御装置３３に出力する。
なお、挿抜部材３１３Ａに対する受光素子３１３の配設位置および数は、クロスダイク
ロイックプリズム３１４５を介した光学像の少なくとも一部を受光可能であればよく、特
に限定されない。
複数の受光素子３１３を挿抜部材３１３Ａに配設する点以外のプロジェクションシステ
ム１（ＰＣ２、プロジェクタ３Ａ、およびＵＳＢケーブル４）の構成、プロジェクション
システム１の動作については、前記第１実施形態と同様であり、説明を省略する。
【００８８】
上述した第２実施形態においては、複数の受光素子３１３の配設位置を変更した場合で
あっても、前記第１実施形態と略同様の作用・効果を享受できる。
【００８９】
[第３実施形態]
次に、本発明の第３実施形態を図面に基づいて説明する。
なお、以下の説明では、既に説明した部分と同一の部分については、同一符号を付して
その説明を省略する。
図９は、第３実施形態におけるプロジェクタ３Ｂの光学系を模式的に示す平面図である
。
前記第１実施形態では、複数の受光素子３１３は、レンズ蓋３１２に配設され、各液晶
ライトバルブ３１４４を介した各光学像を同一の受光素子３１３にて受光している。
これに対して、第３実施形態では、複数の受光素子３１３は、図９に示すように、外装
筐体２内部における光学ユニット３１４の光路中に着脱自在とする３つの挿抜部材３１３
Ｂにそれぞれ配設されている。また、３つの挿抜部材３１３Ｂは、図９に示すように、ク
ロスダイクロイックプリズム３１４５の３つの光束入射側端面と各液晶ライトバルブ３１
４４との間に着脱自在に構成されている。そして、各挿抜部材３１３Ｂにそれぞれ配設さ
れた複数の受光素子３１３は、各挿抜部材３１３Ｂを外装筐体２内部に設置した際に制御
装置３３と電気的に接続し、各液晶ライトバルブ３１４４を介して射出される光学像をそ
れぞれ受光し、受光した光量（明るさ）に応じた受光信号を制御装置３３に出力する。
なお、挿抜部材３１３Ｂに対する受光素子３１３の配設位置および数は、各液晶ライト
バルブ３１４４を介した光学像の少なくとも一部を受光可能であればよく、特に限定され
ない。
複数の受光素子３１３を３つの挿抜部材３１３Ｂにそれぞれ配設する点以外のプロジェ
クションシステム１（ＰＣ２、プロジェクタ３Ｂ、およびＵＳＢケーブル４）の構成、プ
ロジェクションシステム１の動作については、前記第１実施形態と同様であり、説明を省
略する。
【００９０】
上述した第３実施形態においては、複数の受光素子３１３の配設位置を変更した場合で
あっても、前記第１実施形態と同様の作用・効果を享受できる。
また、３つの液晶ライトバルブ３１４４から射出される各光学像を異なる受光素子３１
３にて受光するので、前記第１実施形態で説明したように補正モード時に受光情報を生成
する際、各ＬＥＤモジュール３１５Ｒ，３１５Ｇ，３１５Ｂを順に駆動し、すなわち、各
液晶ライトバルブ３１４４Ｒ，３１４４Ｇ，３１４４Ｂを順に駆動する必要がなく、各Ｒ
，Ｇ，Ｂ色光における受光情報を一括して生成することができる。このため、補正モード
時における色ムラ補正パラメータの生成および更新を迅速に実施できる。
【００９１】
[第４実施形態]
次に、本発明の第４実施形態を図面に基づいて説明する。
なお、以下の説明では、既に説明した部分と同一の部分については、同一符号を付して
その説明を省略する。
図１０は、第４実施形態におけるプロジェクタ３Ｃの光学系を模式的に示す平面図であ
る。
前記第１実施形態では、複数の受光素子３１３は、レンズ蓋３１２に配設されている。
すなわち、複数の受光素子３１３は、プロジェクタ３に対して着脱自在に構成されている
。
これに対して、第４実施形態では、複数の受光素子３１３は、図１０に示すように、外
装筐体３１１内部に固定された固定部材３１３Ｃに配設されている。すなわち、複数の受
光素子３１３は、プロジェクタ３Ｃに内蔵されている。本実施形態では、図１０に示すよ
うに、クロスダイクロイックプリズム３１４５および投射レンズ３１４６の間に光軸に対
して略４５°傾斜したハーフミラー３１４７が配設されている。このハーフミラー３１４
７としては、例えば、透過率が比較的に高いもの（例えば、９５％程度）を採用すれば、
固定部材３１３Ｃと同様にプロジェクタ３Ｃに内蔵しておくことができる。なお、このよ
うにハーフミラー３１４７をプロジェクタ３Ｃに内蔵する構成の他、ハーフミラー３１４
７を外装筐体２内部に着脱自在に構成しても構わない。そして、固定部材３１３Ｃは、ハ
ーフミラー３１４７の反射面に対向するように配設される。そしてまた、固定部材３１３
Ｃに配設された複数の受光素子３１３は、クロスダイクロイックプリズム３１４５を介し
て射出されハーフミラー３１４７にて反射された光学像を受光し、受光した光量（明るさ
）に応じた受光信号を制御装置３３に出力する。
なお、固定部材３１３Ｃに対する受光素子３１３の配設位置および数は、ハーフミラー
３１４７にて反射された光学像の少なくとも一部を受光可能であればよく、特に限定され
ない。
複数の受光素子３１３を固定部材３１３Ｃに配設する点、およびハーフミラー３１４７
を設けた点以外のプロジェクションシステム１（ＰＣ２、プロジェクタ３Ｃ、およびＵＳ
Ｂケーブル４）の構成、プロジェクションシステム１の動作については、前記第１実施形
態と同様であり、説明を省略する。
【００９２】
上述した第４実施形態においては、複数の受光素子３１３の配設位置を変更した場合で
あっても、前記第１実施形態と同様の作用・効果を享受できる。
また、固定部材３１３Ｃおよびハーフミラー３１４７により複数の受光素子３１３をプ
ロジェクタ３Ｃに内蔵する構成が可能となり、前記第１実施形態で説明したように補正モ
ード時において複数の受光素子３１３が配設されたレンズ蓋３１２を設置する作業を実施
する必要がなく、利便性の向上が図れる。
【００９３】
[第５実施形態]
次に、本発明の第５実施形態を図面に基づいて説明する。
なお、以下の説明では、既に説明した部分と同一の部分については、同一符号を付して
その説明を省略する。
図１１は、第５実施形態におけるプロジェクタ３Ｄの概略構成を示すブロック図である
。
前記第１実施形態では、ＰＣ２側にて、投射モードおよび補正モードの移行、キャリブ
レーション画像データの記憶、輝度ムラ値Ｐや色ムラ値Ｓの算出および判定、色ムラ補正
パラメータの生成を実施している。
これに対して、第５実施形態では、プロジェクタ３Ｄ側にて、投射モードおよび補正モ
ードの移行、キャリブレーション画像データの記憶、輝度ムラ値Ｐや色ムラ値Ｓの算出お
よび判定、色ムラ補正パラメータの生成を実施する。そして、プロジェクタ３Ｄの制御装
置３３Ｄは、前記第１実施形態で説明したプロジェクタ３の制御装置３３に対して、図１
１に示すように、前記第１実施形態で説明したキャリブレーション画像記憶部２３７、モ
ード移行部２３６１、色ムラ値判定部２３６２、色ムラ補正パラメータ生成部２３５５、
および色ムラ値算出部２３５６に相当する、キャリブレーション画像記憶部３３４、モー
ド移行部３３３４、色ムラ値判定部３３３５、色ムラ補正パラメータ生成部３３３６、お
よび色ムラ値算出部３３３７を備える。また、図示は省略するが、ＰＣ２は、キャリブレ
ーション画像記憶部２３７、モード移行部２３６１、色ムラ値判定部２３６２、色ムラ補
正パラメータ生成部２３５５、および色ムラ値算出部２３５６が省略されている。
【００９４】
ここで、モード移行部３３３４は、プロジェクタ３Ｄに設けられた図示しない操作パネ
ル等が操作され、投射モードに移行する旨、および補正モードに移行する旨のモード移行
情報が設定入力された場合に、投射モードまたは補正モードに移行する。そして、モード
移行部３３３４は、各モードに応じて、各構成要素に所定の制御指令を出力する。
また、本実施形態では、電源制御部３３３１は、モード移行部３３３４からの制御指令
にしたがって、以下に示すように電源生成部３２を駆動制御する。
例えば、電源制御部３３３１は、モード移行部３３３４からの投射モードに移行する旨
の制御指令にしたがって、電源生成部３２を駆動制御し、ＡＣケーブル５を介して供給さ
れる電力に基づいて駆動電圧を生成させ、該駆動電圧を光源装置３１４１Ａおよび制御装
置３３Ｄにそれぞれ供給させる。
また、例えば、電源制御部３３３１は、モード移行部３３３４からの補正モードに移行
する旨の制御指令にしたがって、電源生成部３２を駆動制御し、ＡＣケーブル５を介して
供給される電力に基づいて駆動電圧を生成させ、該駆動電圧を受光素子３１３、補正用光
源装置３１５、および制御装置３３Ｄにそれぞれ供給させる。
【００９５】
次に、上述したプロジェクタ３Ｄの動作について図面を参照して説明する。
図１２は、第５実施形態におけるプロジェクタ３Ｄの動作を説明するフローチャートで
ある。
なお、以下では、プロジェクタ３Ｄの動作のうち、補正モード時における動作を主に説
明し、投射モード時における動作については説明を省略する。
また、上述したように、本実施形態ではＰＣ２側の一部の機能をプロジェクタ３Ｄに持
たせた点が異なるのみであるため、プロジェクタ３Ｄの補正モード時における動作は、前
記第１実施形態で説明したプロジェクションシステム１の補正モード時における動作と略
同様である。このため、以下では、前記第１実施形態で説明したプロジェクションシステ
ム１の補正モード時における動作と略同様の動作については、同一の符号を付して説明を
簡略化する。
また、予め以下に示すように設置している状態とする。
すなわち、補正用光源装置３１５を外装筺体３１１内部に設置している。
また、レンズ蓋３１２を外装筺体３１１の開口３１１１周縁部分に取り付けている。
さらに、ＡＣケーブル５にてプロジェクタ３および図示しないコンセントを接続してい
る。すなわち、電源生成部３２は、ＡＣケーブル５を介して外部電源から供給される電力
に基づく駆動電圧を制御装置３３Ｄに供給している。
また、ＰＣ２およびプロジェクタ３間は、ＵＳＢケーブル４にて接続されていない状態
とする。
【００９６】
先ず、モード移行部３３３４は、操作パネルの操作により補正モードに移行する旨のモ
ード移行情報が設定入力されたか否かを常に監視する（ステップＳ１０Ａ）。
ステップＳ１０Ａにおいて、モード移行部３３３４は、「Ｙ」と判定した場合、すなわ
ち、補正モードに移行する旨のモード移行情報が設定入力されたと判定した場合には、所
定の制御指令を各構成要素に出力する。
【００９７】
ステップＳ１０Ａの後、電源制御部３３３１は、モード移行部３３３４からの制御指令
にしたがって、電源生成部３２を駆動制御し、ＡＣケーブル５を介して供給される電力に
基づいて駆動電圧を生成させ、該駆動電圧を受光素子３１３、補正用光源装置３１５、お
よび制御装置３３Ｄにそれぞれ供給させる（ステップＳ１０Ｄ）。
【００９８】
ステップＳ１０Ｄの後、補正用光源装置３１５のＬＥＤモジュール３１５Ｇは、モード
移行部３３３４からの制御指令にしたがって、駆動し点灯する（ステップＳ１０Ｅ）。
ステップＳ１０Ｅの後、液晶パネル駆動制御部３３３３は、モード移行部３３３４から
の制御指令にしたがって、キャリブレーション画像記憶部３３４に記憶されたキャリブレ
ーション画像データに対して、内部処理用補正パラメータ記憶部３３２２に記憶された色
ムラ補正パラメータを用いて色ムラ補正処理を実施し、液晶ライトバルブ３１４４Ｇにキ
ャリブレーション画像データに基づく光学像（キャリブレーション画像）を形成させる（
ステップＳ１０Ｆ）。
【００９９】
ステップＳ１０Ｆの後、複数の受光素子３１３のうち、キャリブレーション画像データ
における所定の階調（０階調でない階調）を有する画素または画素領域に応じた位置に配
設される受光素子３１３は、モード移行部３３３４からの制御指令にしたがって、Ｇ色光
用の液晶ライトバルブ３１４４Ｇ、クロスダイクロイックプリズム３１４５、および投射
レンズ３１４６を介した光学像を受光する（ステップＳ１０Ｇ）。そして、前記受光素子
３１３は、受光した光量に応じた受光信号を制御装置３３Ｄに出力する。
【０１００】
ステップＳ１０Ｇの後、受光情報生成部３３３２は、前記受光素子３１３から出力され
る受光信号を入力し、受光情報を生成する（ステップＳ１０Ｈ）。そして、受光情報生成
部３３３２は、生成した受光情報を図示しないメモリに記憶させる。
【０１０１】
ステップＳ１０Ｈの後、制御部本体３３３は、全てのキャリブレーション画像データに
対応したＧ色光用の液晶ライトバルブ３１４４Ｇを介した光束（Ｇ色光）における全ての
受光情報を生成したか否かを判定する（ステップＳ１０Ｋ）。
ステップＳ１０Ｋにおいて、制御部本体３３３は、「Ｎ」と判定した場合、すなわち、
全てのキャリブレーション画像データに対応したＧ色光における全ての受光情報を受信し
ていないと判定した場合には、再度、ステップＳ１０Ｅに戻り、その他のキャリブレーシ
ョン画像データに基づく光学像を液晶ライトバルブ３１４４に形成させ、受光素子３１３
に光学像を受光させ、受光情報を生成させる。すなわち、全てのキャリブレーション画像
データに対応したＧ色光における全ての受光情報を生成するまで、ステップＳ１０Ｅ〜Ｓ
１０Ｈが繰り返し実施される。
【０１０２】
ステップＳ１０Ｋにおいて、制御部本体３３３は、「Ｙ」と判定した場合、すなわち、
全てのキャリブレーション画像データに対応したＧ色光における全ての受光情報を生成し
たと判定した場合には、Ｇ色光以外の他のＲ色光用、Ｂ色光用の液晶ライトバルブ３１４
４Ｒ，３１４４Ｂを介した光束（Ｒ色光およびＢ色光）における全ての受光情報を生成し
たか否かを判定する（ステップＳ１０Ｌ）。
ステップＳ１０Ｌにおいて、制御部本体３３３は、「Ｎ」と判定した場合、すなわち、
全てのキャリブレーション画像データに対応した他のＲ色光およびＢ色光における全ての
受光情報を生成していないと判定した場合には、再度、ステップＳ１０Ｅに戻る。そして
、制御部本体３３３は、ＬＥＤモジュール３１５Ｒを駆動する旨の制御指令、Ｒ色光用の
液晶ライトバルブ３１４４Ｒにキャリブレーション画像を形成させる旨の制御指令を出力
し、上記同様に、ステップＳ１０Ｅ〜Ｓ１０Ｈの処理を実施させ、Ｒ色光における受光情
報を生成させる。そして、全てのキャリブレーション画像データに対応したＲ色光におけ
る全ての受光情報を生成するまで、ステップＳ１０Ｅ〜Ｓ１０Ｈが繰り返し実施される。
また、同様に、全てのキャリブレーション画像データに対応したＢ色光における全ての受
光情報を生成するまで、ステップＳ１０Ｅ〜Ｓ１０Ｈが繰り返し実施される。
【０１０３】
ステップＳ１０Ｌにおいて、制御部本体３３３にて「Ｙ」と判定された場合、すなわち
、全てのキャリブレーション画像データに対応した各Ｒ，Ｇ，Ｂ色光における全ての受光
情報を生成したと判定された場合には、色ムラ値算出部３３３７は、図示しないメモリに
記憶された全てのキャリブレーション画像データに対応した各Ｒ，Ｇ，Ｂ色光における全
ての受光情報に基づいて、画素毎または画素領域毎に全画素領域に亘って、各輝度ムラ値
Ｐおよび各色ムラ値Ｓを算出する（ステップＳ１０Ｍ）。
【０１０４】
ステップＳ１０Ｍの後、色ムラ値判定部３３３５は、算出された各輝度ムラ値Ｐや各色
ムラ値Ｓと、図示しないメモリに記憶された基準値とを比較し、各輝度ムラ値Ｐや各色ム
ラ値Ｓが基準値の範囲外であるか否かを判定する（ステップＳ１０Ｎ）。
ステップＳ１０Ｎにおいて、色ムラ値判定部３３３５にて「Ｎ」と判定された場合、す
なわち、各輝度ムラ値Ｐや各色ムラ値Ｓが基準値の範囲内であり輝度ムラや色ムラが生じ
ていないと判定された場合には、補正モードを終了する。
【０１０５】
ステップＳ１０Ｎにおいて、色ムラ値判定部３３３５にて「Ｙ」と判定された場合、す
なわち、各輝度ムラ値Ｐや各色ムラ値Ｓのいずれかが基準値の範囲外であり輝度ムラや色
ムラが生じていると判定された場合には、色ムラ補正パラメータ生成部３３３６は、図示
しないメモリに記憶された全てのキャリブレーション画像データに対応した各Ｒ，Ｇ，Ｂ
色光における全ての受光情報に基づいて、各液晶ライトバルブ３１４４Ｒ，３１４４Ｇ，
３１４４Ｂに用いる各色ムラ補正パラメータを生成する（ステップＳ１０Ｏ）。
【０１０６】
ステップＳ１０Ｏの後、色ムラ補正パラメータ生成部３３３６は、内部処理用補正パラ
メータ記憶部３３２２に記憶されている色ムラ補正パラメータを、生成した各色ムラ補正
パラメータに更新する（ステップＳ１０Ｒ）。
ステップＳ１０Ｒの後、制御部本体３３３は、新たな色ムラ補正パラメータが適正なパ
ラメータであるかの確認を実施したか否かを判定する（ステップＳ１０Ｓ）。
ステップＳ１０Ｓにおいて、制御部本体３３３は、「Ｎ」と判定した場合、すなわち、
新たな色ムラ補正パラメータが適正なパラメータであるかの確認を実施していないと判定
した場合には、再度、ステップＳ１０Ｅに戻る。そして、上述したステップＳ１０Ｅ〜Ｓ
１０Ｈ，Ｓ１０Ｋ〜Ｓ１０Ｎが実施される。この際、ステップＳ１０Ｆでは、新たな色ム
ラ補正パラメータを用いてキャリブレーション画像データに対して色ムラ補正処理が実施
され、該色ムラ補正処理が実施されたキャリブレーション画像データに基づく光学像が形
成される。そして、ステップＳ１０Ｎにおいて、各輝度ムラ値Ｐや各色ムラ値Ｓが基準値
の範囲外であるか否かを判定することで、新たな色ムラ補正パラメータが適正なパラメー
タであるか否かを確認している。すなわち、各輝度ムラ値Ｐや各色ムラ値Ｓのいずれかが
基準値の範囲外であると判定した場合には、新たな色ムラ補正パラメータが適正なパラメ
ータではないため、再度、ステップＳ１０Ｏにおいて色ムラ補正パラメータを生成して、
ステップＳ１０Ｒにおいて色ムラ補正パラメータを更新する。一方、各輝度ムラ値Ｐや各
色ムラ値Ｓが基準値の範囲内であると判定した場合には、補正モードを終了する。
【０１０７】
上述した第５実施形態においては、前記第１実施形態と同様の作用・効果の他、以下の
効果がある。
プロジェクタ３Ｄは、キャリブレーション画像記憶部３３４、モード移行部３３３４、
色ムラ値判定部３３３５、色ムラ補正パラメータ生成部３３３６、および色ムラ値算出部
３３３７を備えているので、プロジェクタ３Ｄ側にて色ムラ補正パラメータを生成できる
。このため、補正モード時において、プロジェクタ３ＤおよびＰＣ２間をＵＳＢケーブル
４にて接続しなくても、色ムラ補正パラメータを生成でき、利便性の向上が図れる。
【０１０８】
なお、本発明は前述の実施形態に限定されるものではなく、本発明の目的を達成できる
範囲での変形、改良等は本発明に含まれるものである。
前記各実施形態では、パラメータ補正部として色ムラ補正パラメータ生成部２３５５，
３３３６を採用している。すなわち、パラメータ補正部として、新たな色ムラ補正パラメ
ータを生成する構成を採用しているが、これに限らない。例えば、パラメータ補正部とし
て、現状の色ムラ補正パラメータを補正するための補正情報を生成する構成とし、生成し
た補正情報に基づいて、内部処理用補正パラメータ記憶部３３２２に記憶された色ムラ補
正パラメータを更新させる構成としても構わない。
【０１０９】
前記各実施形態では、光束検出部としてフォトダイオード等で構成される受光素子３１
３を採用したが、これに限らず、ＣＣＤおよびＭＯＳセンサ等の撮像素子を採用しても構
わない。
前記各実施形態では、プロジェクタが色ムラ補正パラメータに基づいて画像情報に施す
色ムラ補正処理を実施していたが、これに限らず、ＰＣが色ムラ補正処理を実施する構成
としても構わない。すなわち、前記第１実施形態ないし前記第４実施形態において、プロ
ジェクタ３，３Ａ，３Ｂ，３Ｃの内部処理用補正パラメータ記憶部３３２２および画像補
正演算処理部３３３３Ｂを省略し、ＰＣ２に内部処理用補正パラメータ記憶部３３２２お
よび画像補正演算処理部３３３３Ｂに相当する構成を追加する。このような構成では、Ｐ
Ｃ２側にて画像情報に対して略全ての画像処理（解像度変換処理、輪郭強調処理、白黒伸
長処理、色変換処理、γ補正処理、ＶＴ−γ補正処理、形状補正処理、ゴースト補正処理
、クロストーク補正処理、色ムラ補正処理等）を施すこととなる。
【０１１０】
前記第１実施形態ないし前記第４実施形態では、ＰＣ２側の操作部２１の操作によりモ
ード移行情報を設定入力させる構成としたが、これに限らず、プロジェクタ３，３Ａ，３
Ｂ，３Ｃの図示しない操作パネルの操作によりモード移行情報を設定入力させ、ＰＣ２の
モード移行部２３６１が前記設定入力されたモード移行情報に基づいて、投射モードまた
は補正モードに移行する構成としても構わない。
【０１１１】
前記各実施形態では、画像処理として、ＰＣ２側にて解像度変換処理、輪郭強調処理、
白黒伸長処理、色変換処理、γ補正処理、ＶＴ−γ補正処理、形状補正処理を実施し、プ
ロジェクタ３側にてゴースト補正処理、クロストーク補正処理、色ムラ補正処理を実施し
ていたが、これに限らない。ＰＣ２側にて上述した画像処理を全て行う構成としてもよく
、あるいは、プロジェクタ３側にて上述した画像処理を全て行う構成としてもよい。
【０１１２】
前記各実施形態において、補正用光源装置３１５の構成および配設位置は、前記各実施
形態で説明した構成に限らない。例えば、補正用光源装置として、以下の構成および配設
位置を採用しても構わない。
図１３および図１４は、前記各実施形態の変形例を示す図である。具体的に、図１３お
よび図１４は、補正用光源装置の他の構成および配設位置を説明するための図である。
例えば、図１３に示すように、偏光変換素子３１４１Ｄおよびダイクロイックミラー３
１４２Ａの間に光軸に対して略４５°傾斜したハーフミラー３１４８を配設する。このハ
ーフミラー３１４８としては、前記第４実施形態で説明したハーフミラー３１４７と同様
のものを採用できる。また、ハーフミラー３１４８としては、プロジェクタ３内に内蔵す
る構成の他、ハーフミラー３１４８を外装筺体３１１内部に着脱自在に構成しても構わな
い。そして、補正用光源装置３１５を、ハーフミラー３１４８の反射面に対向するように
配設する。この場合もハーフミラー３１４８と同様に、補正用光源装置３１５は、プロジ
ェクタ３内に内蔵する構成としてもよく、あるいは、外装筺体３１１内部に着脱自在に構
成しても構わない。
なお、以上の構成は、前記第１実施形態を例に説明したが、前記第２実施形態ないし前
記第５実施形態に採用しても構わない。
【０１１３】
また、例えば、図１４に示すように、補正用光源装置３１６を、第１のＬＥＤモジュー
ル３１６１、第２のＬＥＤモジュール３１６２、および第３のＬＥＤモジュール３１６３
で構成し、各部材３１６１〜３１６３をそれぞれ別の位置に配設する。
より具体的に、第１のＬＥＤモジュール３１６１は、緑色光または青色光を射出するＬ
ＥＤモジュールであり、図１４に示すように、光源装置３１４１Ａから液晶ライトバルブ
３１４４に向う光束の光軸から外れ、ダイクロイックミラー３１４２Ａに対向する位置に
配設される。そして、第１のＬＥＤモジュール３１６１から射出された緑色光または青色
光は、ダイクロイックミラー３１４２Ａにて反射し、反射ミラー３１４２Ｃにてさらに反
射した後、赤色光用の液晶ライトバルブ３１４４Ｒに照射される。
【０１１４】
また、第２のＬＥＤモジュール３１６２は、青色光を射出するＬＥＤモジュールであり
、図１４に示すように、光源装置３１４１Ａから液晶ライトバルブ３１４４に向う光束の
光軸から外れ、ダイクロイックミラー３１４２Ｂに対向する位置に配設される。そして、
第２のＬＥＤモジュール３１６２から射出された青色光は、ダイクロイックミラー３１４
２Ｂを透過し、緑色光用の液晶ライトバルブ３１４４Ｇに照射される。
さらに、第３のＬＥＤモジュール３１６３は、赤色光または緑色光を射出するＬＥＤモ
ジュールであり、図１４に示すように、第２のＬＥＤモジュール３１６２近傍に配設され
る。そして、第３のＬＥＤモジュール３１６３から射出された赤色光または緑色光は、ダ
イクロイックミラー３１４２Ｂにて反射し、リレー光学系３１４３を通って、青色光用の
液晶ライトバルブ３１４４Ｂに照射される。
【０１１５】
以上のように、補正用光源装置としては、各液晶ライトバルブ３１４４に異なる色光を
照射する（赤色光用の液晶ライトバルブ３１４４Ｒに赤色光以外の緑色光や青色光を照射
する等）構成としてもよい。
なお、補正用光源装置３１６としては、前記各実施形態で説明した補正用光源装置３１
５と同様に、上述したＬＥＤモジュールに限らず、その他の各種個体発光素子を採用して
もよい。また、補正用光源装置３１６としては、プロジェクタ３に内蔵する構成としても
よく、あるいは、外装筺体３１１内部に着脱自在に構成しても構わない。
また、以上の構成は、前記第１実施形態を例に説明したが、前記第２実施形態ないし前
記第５実施形態に採用しても構わない。
【０１１６】
前記各実施形態および図１３，図１４に示す変形例では、プロジェクタ３，３Ａ，３Ｂ
，３Ｃ，３Ｄが補正用光源装置３１５，３１６を備えた構成としたが、これに限らず、補
正用光源装置３１５，３１６を省略した構成としてもよい。例えば、前記第１実施形態に
おいては、制御部本体３３３に、光源装置３１４１Ａを駆動制御する光源駆動制御部を設
ける。そして、前記光源駆動制御部は、補正モード時において光源装置３１４１Ａに印加
する電圧値を低減させ、すなわち、光源装置３１４１Ａから射出される光量を低減させて
液晶ライトバルブ３１４４に対して射出させる。このような構成では、補正用光源装置３
１５，３１６を設ける必要がなく、プロジェクタ３の低コスト化が可能となる。なお、以
上の構成は、前記第１実施形態を例に説明したが、前記第２実施形態ないし前記第５実施
形態に採用しても構わない。
【０１１７】
前記各実施形態では、情報伝送手段としてＵＳＢケーブル４を採用していたが、これに
限らない。情報伝送手段としては、情報の伝送を可能としかつ、電力を供給可能とするこ
とが好ましく、ＵＳＢ規格に限らず、例えば、ＩＥＥＥ１３９４規格や、ＰｏＥ（パワー
・オーバー・イーサネット（登録商標））規格等を採用しても構わない。
【０１１８】
前記各実施形態において、色ムラ補正パラメータを更新する旨の情報をプロジェクタ３
，３Ａ，３Ｂ，３Ｃ，３Ｄ側が報知し、補正モードへの移行を利用者に促す構成を採用し
てもよい。報知する構成としては、特に限定されず、音声により前記情報を報知する構成
としてもよいし、ＬＥＤの点灯等により前記情報を報知する構成としてもよい。
【０１１９】
前記第５実施形態では、ＰＣ２において、キャリブレーション画像記憶部２３７、モー
ド移行部２３６１、色ムラ値判定部２３６２、色ムラ補正パラメータ生成部２３５５、お
よび色ムラ値算出部２３５６を省略し、プロジェクタ３Ｄに上記各構成に相当するキャリ
ブレーション画像記憶部３３４、モード移行部３３３４、色ムラ値判定部３３３５、色ム
ラ補正パラメータ生成部３３３６、および色ムラ値算出部３３３７を追加していたが、こ
れに限らず、プロジェクタにて画像を表示する処理の全てをプロジェクタ自体が実施する
構成としても構わない。すなわち、前記第５実施形態において、プロジェクタ３Ｄに、Ｐ
Ｃ２の補助メモリ２３３および画像処理部２３５等を追加する。このような構成によれば
、画像を表示する処理機能を全てプロジェクタ３Ｄに設けることで、上述したＰＣ２とＵ
ＳＢケーブル４を介してプロジェクタ３Ｄを接続しなくても、プロジェクタ３Ｄ単体で補
助メモリ２３３内の映像ソースを表示する処理が可能となり、利便性の向上が図れる。
【０１２０】
前記各実施形態では、透過型の液晶パネル（液晶ライトバルブ３１４４）を採用してい
たが、これに限らず、反射型の液晶パネルを採用してもよく、あるいは、ディジタル・マ
イクロミラー・デバイス（テキサス・インスツルメント社の商標）を採用してもよい。
前記各実施形態では、液晶ライトバルブ３１４４を３枚設けた構成としたが、これに限
らず、１枚のみの液晶ライトバルブ３１４４を設ける構成、２枚の液晶ライトバルブ３１
４４を設ける構成、４枚以上の液晶ライトバルブ３１４４を設ける構成としてもよい。
前記各実施形態では、スクリーンを観察する方向から投射を行うフロントタイプのプロ
ジェクタの例のみを挙げたが、本発明は、スクリーンを観察する方向とは反対側から投射
を行うリアタイプのプロジェクタにも適用可能である。
【０１２１】
さらに、本発明を実施するための最良の構成などは、以上の記載で開示されているが、
本発明は、これに限定されるものではない。すなわち、本発明は、主に特定の実施形態に
関して特に図示され、かつ、説明されているが、本発明の技術的思想および目的の範囲か
ら逸脱することなく、以上述べた実施形態に対し、形状、材質、数量、その他の詳細な構
成において、当業者が様々な変形を加えることができるものである。
従って、上記に開示した形状、材質などを限定した記載は、本発明の理解を容易にする
ために例示的に記載したものであり、本発明を限定するものではないから、それらの形状
、材質などの限定の一部若しくは全部の限定を外した部材の名称での記載は、本発明に含
まれるものである。
【産業上の利用可能性】
【０１２２】
本発明は、スクリーン上に画像を投影せずに投影画像に生じる色ムラを補正するための
色ムラ補正パラメータを適切に補正できるため、プレゼンテーションやホームシアタに用
いられるプロジェクタを利用したプロジェクションシステムに利用できる。
【図面の簡単な説明】
【０１２３】
【図１】第１実施形態におけるプロジェクションシステムの外観図。
【図２】前記実施形態におけるＰＣの概略構成を示すブロック図。
【図３】前記実施形態における色ムラ補正パラメータ生成部による色ムラ補正パラメータの生成方法の一例を示す図。
【図４】前記実施形態における表示部に表示される情報の一例を示す図。
【図５】前記実施形態におけるプロジェクタの光学系を模式的に示す平面図。
【図６】前記実施形態におけるプロジェクタの概略構成を示すブロック図。
【図７】前記実施形態におけるプロジェクションシステムの動作を説明するフローチャート。
【図８】第２実施形態におけるプロジェクタの光学系を模式的に示す平面図。
【図９】第３実施形態におけるプロジェクタの光学系を模式的に示す平面図。
【図１０】第４実施形態におけるプロジェクタの光学系を模式的に示す平面図。
【図１１】第５実施形態におけるプロジェクタの概略構成を示すブロック図。
【図１２】前記実施形態におけるプロジェクタの動作を説明するフローチャート。
【図１３】前記各実施形態の変形例を示す図。
【図１４】前記各実施形態の変形例を示す図。
【符号の説明】
【０１２４】
１・・・プロジェクションシステム、２・・・ＰＣ（情報処理装置）、３，３Ａ，３Ｂ
，３Ｃ，３Ｄ・・・プロジェクタ、４・・・ＵＳＢケーブル（情報伝送手段）、３２・・
・電源生成部、３１１・・・外装筺体、３１２・・・レンズ蓋（蓋部材）、３１３・・・
受光素子（光束検出部）、３１３Ａ，３１３Ｂ・・・挿抜部材、３１５，３１６・・・補
正用光源装置、２３５５，３３３６・・・色ムラ補正パラメータ生成部（パラメータ補正
部）、２３６１，３３３４・・・モード移行部、３１１１・・・開口、３１４１Ａ・・・
光源装置、３１４４・・・液晶ライトバルブ（光変調素子）、３１４５・・・クロスダイ
クロイックプリズム（色合成光学装置）、３１４６・・・投射レンズ（投射光学装置）、
３３２２・・・内部処理用補正パラメータ記憶部、３３３３Ｂ・・・画像補正演算処理部
（色ムラ補正処理部）。
【図１】
2007166271.tif 000003
【図２】
2007166271.tif 000004
【図３】
2007166271.tif 000005
【図４】
2007166271.tif 000006
【図５】
2007166271.tif 000007
【図６】
2007166271.tif 000008
【図７】
2007166271.tif 000009
【図８】
2007166271.tif 000010
【図９】
2007166271.tif 000011
【図１０】
2007166271.tif 000012
【図１１】
2007166271.tif 000013
【図１２】
2007166271.tif 000014
【図１３】
2007166271.tif 000015
【図１４】
2007166271.tif 000016